(57)【要約】【課題】  衣料の裁断されたままの状態で縁始末不要な縁部の引裂き強度が改善され、且つ、当該縁部のカーリングが防止された伸縮性を有する衣料を提供する。【解決手段】伸縮性の経編地からなり裁断されたままの状態で縁始末不要な縁を有する部片（Ｐ）を、衣料を構成する生地の少なくとも一部に用いた裁断されたままの状態で縁始末不要な縁を衣料の縁の少なくとも一部に有する衣料であり、前記部片（Ｐ）が、非弾性糸１がプレーンコード組織であり、弾性糸２が前記非弾性糸と同行するデンビ組織またはプレーンコード組織である伸縮性の経編地からなる衣料。【選択図】  図１
2005320642.tif 000002
【特許請求の範囲】
【請求項１】
伸縮性の経編地からなり裁断されたままの状態で縁始末不要な縁を有する部片（Ｐ）を、衣料を構成する生地の少なくとも一部に用いた裁断されたままの状態で縁始末不要な縁を衣料の縁の少なくとも一部に有する衣料であり、
前記部片（Ｐ）が、非弾性糸がプレーンコード組織であり、弾性糸が前記非弾性糸と同行するデンビ組織またはプレーンコード組織である伸縮性の経編地からなる衣料。
【請求項２】
前記部片（Ｐ）に用いられる経編地が、非弾性糸がプレーンコード組織であり、弾性糸が前記非弾性糸と同行するデンビ組織である伸縮性の経編地からなる請求項１に記載の衣料。
【請求項３】
前記部片（Ｐ）に用いられる経編地が、非弾性糸がプレーンコード組織であり、弾性糸が前記非弾性糸と同行するプレーンコード組織である伸縮性の経編地からなる請求項１に衣料。
【請求項４】
前記経編地が、前記非弾性糸と前記弾性糸の少なくとも一方が閉じ目である経編地からなる請求項１〜３のいずれかに記載の衣料。
【請求項５】
前記経編地が、前記非弾性糸と前記弾性糸の両方が閉じ目である経編地からなる請求項１〜４のいずれかに記載の衣料。
【請求項６】
前記経編地が、前記非弾性糸と前記弾性糸のみからなる請求項１〜５のいずれかに記載の衣料。
【請求項７】
前記経編地のウェール方向の密度が、２．５４ｃｍ（１インチ）当たり５５ウエール以上である請求項１〜６のいずれかに記載の衣料。
【請求項８】
前記経編地のウェール方向の密度が、２．５４ｃｍ（１インチ）当たり６０ウエール以上である請求項１〜７のいずれかに記載の衣料。
【請求項９】
前記経編地のウェール方向の密度が、２．５４ｃｍ（１インチ）当たり６５ウエール以上である請求項１〜８のいずれかに記載の衣料。
【請求項１０】
前記部片（Ｐ）の衣料における上縁あるいは下縁の少なくとも一方が、裁断されたままの状態で縁始末不要な縁からなる請求項１〜９のいずれかに記載の衣料。
【請求項１１】
前記部片（Ｐ）の衣料における上縁及び下縁の両方が、裁断されたままの状態で縁始末不要な縁からなる請求項１〜１０のいずれかに記載の衣料。
【請求項１２】
前記部片（Ｐ）の衣料における上縁および下縁の両方の縁が、裁断されたままの状態で縁始末不要な縁からなり、上縁および下縁のラインが相互に非平行である請求項１〜１１のいずれかに記載の衣料。
【請求項１３】
前記部片（Ｐ）の衣料における上縁および下縁の両方の縁が、裁断されたままの状態で縁始末不要な縁からなり、上縁の縁の形状と、下縁の縁の形状が異なっている請求項１〜１２のいずれかに記載の衣料。
【請求項１４】
前記部片（Ｐ）の衣料における上縁あるいは下縁の少なくとも一方が、裁断されたままの状態で縁始末不要な縁からなり、当該縁始末不要な縁が曲線状である請求項１〜１１、１３のいずれかに記載の衣料。
【請求項１５】
前記部片（Ｐ）の衣料における上縁および下縁の両方が、裁断されたままの状態で縁始末不要な縁からなり、当該両方の縁始末不要な縁が曲線状である請求項 １〜１１、１３のいずれかに記載の衣料。
【請求項１６】
前記縁始末不要な縁曲線が、凹状の曲線である請求項１４〜１５のいずれかに記載の衣料。
【請求項１７】
前記部片（Ｐ）の衣料における上縁あるいは下縁の少なくとも一方が、裁断されたままの状態で縁始末不要な縁からなり、当該縁始末不要な縁が波形状である請求項１〜１１のいずれかに記載の衣料。
【請求項１８】
前記部片（Ｐ）の衣料における上縁および下縁の両方が、裁断されたままの状態で縁始末不要な縁からなり、当該両方の縁始末不要な縁が波形状である請求項１〜１２のいずれかに記載の衣料。
【請求項１９】
前記部片（Ｐ）の裁断されたままの状態で縁始末不要な縁の少なくとも一つがが、編方向と平行なラインに対し±９０度未満の鋭角で裁断された縁を含む請求項 １〜１２のいずれかに記載の衣料。
【請求項２０】
衣料がガードル、ショーツ、ボディスーツ、水着、レオタード、スパッツ、スポーツ用タイツ、ブラジャーから選ばれた衣料である請求項１〜１９のいずれかに記載の衣料。
【請求項２１】
衣料が、衣料全体が身体に密着しヒップ部を有する衣料である請求項１〜１９のいずれかに記載の衣料。
【請求項２２】
衣料が、ショーツ又はガードルであり、当該ショーツ又はガードルの裾部及びウェストライン部の少なくとも一方が前記部片（Ｐ）の裁断されたままの状態で縁始末不要な縁からなる請求項１〜２０のいずれかに記載の衣料。
【請求項２３】
衣料が、ショーツ又はショートタイプのガードルであり、当該ショーツ又はガードルの少なくとも裾部が前記部片（Ｐ）の裁断されたままの状態で縁始末不要な縁からなり、前記裾部のうち後裾部の縁が、編方向と平行なラインに対し±９０度未満の鋭角で裁断した縁を含む請求項１〜９のいずれかに記載の衣料。
【請求項２４】
前記部片（Ｐ）が、衣料の上下方向に連続した経編地からなる請求項１〜２３のいずれかに記載の衣料。
【請求項２５】
衣料が、ショーツ、ショートタイプのガードル、ボディスーツ、ワンピース型水着、セパレートタイプ水着のボトム、からなる群から選ばれた、クロッチ部の左右の縁が当該衣料の裾の一部を形成している衣料であって、前記クロッチ部の左右の縁も含む脚部の縁全周が、前記部片（Ｐ）の裁断されたままの状態で縁始末不要な縁からなる請求項１〜１９のいずれかに記載の衣料。
【請求項２６】
衣料が、ショーツ又はショートタイプのガードルであり、当該ショーツ又はガードル本体が、1枚の連続した前記部片（Ｐ）から形成されている請求項１〜１９のいずれかに記載の衣料。
【請求項２７】
衣料が、ショーツ又はショートタイプのガードルであり、当該衣料本体のクロッチ部の内側に、更に内側クロッチ部片が取付けられており、衣料本体のクロッチ部と内側クロッチ部片の主たる伸縮方向がほぼ横方向となる様に、内側クロッチ部片が取付けられている請求項１〜１９、２１〜２４及び２６のいずれかに記載の衣料。
【請求項２８】
内側クロッチ部片の上縁と下縁が、衣料本体のクロッチ充当部に、縫着もしくは接着されず、浮いた状態となっている請求項２７に記載の衣料。
【請求項２９】
内側クロッチ部片が、内側クロッチ部片の左右両側縁それぞれの複数箇所で部分的に衣料本体のクロッチ部に縫着もしくは接着されている請求項２６または２７のいずれかに記載の衣料。
【請求項３０】
前記１枚の連続した部片（Ｐ）の編方向が、衣料のほぼ横方向となる様に前記部片（Ｐ）が裁断されて用いられている請求項２６〜２９のいずれかに記載の衣料。
【請求項３１】
衣料本体が1枚の連続した前記部片（Ｐ）から形成されている前記ショーツ又はショートタイプのガードルにおいて、前記ショーツ又はショートタイプのガードルの左右脇部のみが縫着もしくは接着されて衣料が形成されている請求項２６〜３０のいずれかに記載の衣料。
【請求項３２】
衣料がブラジャー、もしくは水着あるいはレオタードのトップスであり、前記部片（Ｐ）の裁断されたままの状態で縁始末不要な縁が、バック布の上縁又は下縁の少なくとも一方の縁を形成している請求項１〜１９のいずれかに記載の衣料。
【請求項３３】
衣料がブラジャー、もしくは水着あるいはレオタードのトップスであり、前記部片（Ｐ）の裁断されたままの状態で縁始末不要な縁が、バック布の上縁及び下縁の両方の縁を形成している請求項１〜１９のいずれかに記載の衣料。
【請求項３４】
前記部片（Ｐ）の裁断されたままの状態で縁始末不要な縁が、波形状の縁である請求項３２〜３３のいずれかに記載の衣料。
【請求項３５】
前記バック布が、前記部片（Ｐ）に更に、伸縮性の経編地からなり裁断されたままの状態で縁始末不要な縁を有する部片（Ｐ２）が積層された積層体からなり、
前記部片（Ｐ２）が、前記部片（Ｐ）から選ばれた部片か、または、前記部片（Ｐ）とは異なる編組織を有する伸縮性の経編地からなる部片（Ｐ２−１）である請求項２５〜３４のいずれかに記載の衣料。
【請求項３６】
前記部片（Ｐ）を形成する前記非弾性糸の太さが１１〜７７ｄｔｅｘであり、前記弾性糸の太さが２２〜２２２ｄｔｅｘである請求項１〜３５のいずれかに記載の衣料。
【発明の詳細な説明】
【技術分野】
【０００１】
本発明は、裁断されたままの状態で縁始末不要な縁を有する伸縮性を有する衣料に関する。
【背景技術】
【０００２】
従来より、例えば、衣料の裾部などの縁は、裁断したままの状態では、縁部が解れてしまうので、解れを防止するために、何らかの縁始末をする必要があった。この始末のことを、縁始末をする、ヘミングなどと称し、その方法は部位や素材によって様々であって、例えば、布端を折り返して２重にし縫合したり、別布やテープ状物を断面略Ｕ字状に生地の縁部に被せて縫合するなど、縁始末がされているのが一般的である。しかし、この作業は衣類の縫製において可成りの負担であり、しかもこのように縁始末を施すと、その部分が厚くなり、タイトなアウターウェアーをその上に着用した場合など、下着の縁ラインが凸条になって外衣に現れ、外観を損なったり、分厚くなった縁部が着用感を損なうなどの問題になっている。また、従来は、上下に連続した１枚の部片を衣料に使用した場合、縁始末不要な縁を形成するためには、抜き糸を編み込んでおいてその糸を引き抜くことによって縁部を形成する方法がよく行われている（下記特許文献１の図２および段落［００１９］、［００２０］参照。下記特許文献２の図３および段落［００１４］参照。下記特許文献３の図１および段落［００２０］参照。）。抜き糸の糸抜きにより形成した縁始末不要な縁部の場合は、縁部形状が直線とならざるを得ず、上下縁部共に抜き糸の糸抜きによる縁部を形成した場合は、上下縁部のラインは平行になる部片とせざるを得ない、上下縁部のラインが非平行な部片を衣料に使用する場合は、少なくとも一方は縁部始末をせざるを得ないといった制約があった。
【０００３】
そこで、近年、裁断されたままの状態で縁始末不要な縁を有する衣料に用いる生地として、非弾性糸と弾性糸を同行させた１×１トリコット（デンビ組織）が提案されている（下記特許文献４参照）。この経編地は、裁断によって縁の形状をほぼ任意に形成できるため、上述のような制約が解消できる利点がある。このように裁断されたままの状態で縁始末不要な縁を、以下、フリーカット縁部と略称することがある。
【０００４】
しかし、上記のような非弾性糸と弾性糸を同行させたデンビ組織からなる経編地を用いてフリーカット縁部を形成した場合に、当該フリーカット縁部を構成する編地の引裂き強度が弱いという問題がある。特に、身体に密着して着用される伸縮性を有する衣料においては、衣料開口部の縁部が着用時に押し広げられて着用されるので、当該縁部がフリーカット縁部の場合に編地の引裂き強度が弱いと、耐久性の点で劣るという問題がある。引裂き強度を上げるには、これらの経編地を２枚以上積層して使用する必要がある。
【０００５】
フリーカット縁部については言及されていないが、非弾性糸をプレーンコード組織とし弾性糸が前記非弾性糸と逆行するデンビ組織からなる経編伸縮性生地が提案されている（下記特許文献５の図１参照）。尚、この非弾性糸と弾性糸の組織図を図３１に示した。１が例えば第１のガイドバー（筬）Ｌ１から供給される非弾性糸、２が例えば第２のガイドバーＬ２から供給される弾性糸であり、非弾性糸１はプレーンコード組織で編まれ、弾性糸２は前記非弾性糸１とが逆行するデンビ組織で編まれている。ここで「逆行」とは、例えばある同じコースにおける非弾性糸１及び弾性糸２のシンカーループ、例えばシンカーループ３、４に注目した場合に、シンカーループの傾きの方向が非弾性糸１は左下から右上に向かう方向であり、弾性糸２は、前記の逆で右下から左上に向かう方向である。このように、ある同じコースにおける非弾性糸１及び弾性糸２のシンカーループの傾きの方向が逆の場合で、非弾性糸と弾性糸が重ねて編み込まれている場合を、「逆行」と言う。
【０００６】
本発明者等は、この生地でフリーカット縁部を形成したものを衣料を構成する生地の少なくとも一部に用いた衣料について検討した。編条件を工夫することにより、フリーカット縁部のほつれが生じることはかなり改善されるが、まだ十分でなく、また、この伸縮性経編地を用いてフリーカット縁部を有する衣料とした場合に、当該縁部が丸まりやすく、カーリングが極めて発生しやすく、縁部が身体にフィットしないという問題があることが分かった。
【特許文献１】日本特開２０００−３０３３３１号公報
【特許文献２】日本特許第２９９７４３２号公報
【特許文献３】日本特許第３０５４３８４号公報
【特許文献４】ＷＯ  ０３／０４０４４８Ａ１パンフレット
【特許文献５】日本特開平３−２１３５４２号公報
【発明の開示】
【発明が解決しようとする課題】
【０００７】
本発明は、かかる従来の問題点を解決し、裁断したままで縁部始末不要な部片を用いて当接する身体の形状にあわせ自由な縁部形状とし、設計の自由度を向上させ、かつ縁の部分のみが厚くならず、裾やウェストラインが外衣に反映して段差となって現れることがないなどの縁始末不要な縁を有する衣料の利点を有し、かつ衣料の当該裁断されたままの状態で縁始末不要な縁部を有する部片の引裂き強度が改善され、当該縁部がカーリングすることなく、身体にフィットする伸縮性を有する衣料を提供することを目的とする。
【課題を解決するための手段】
【０００８】
前記目的を達成するために、本発明の衣料は、
（１）伸縮性の経編地からなり裁断されたままの状態で縁始末不要な縁を有する部片（Ｐ）を、衣料を構成する生地の少なくとも一部に用いた裁断されたままの状態で縁始末不要な縁を衣料の縁の少なくとも一部に有する衣料であり、
前記部片（Ｐ）が、非弾性糸がプレーンコード組織であり、弾性糸が前記非弾性糸と同行するデンビ組織またはプレーンコード組織である伸縮性の経編地からなる衣料である。
【発明の効果】
【０００９】
本発明の衣料は、裁断したままで縁部始末不要な部片を用いて当接する身体の形状にあわせ自由な縁部形状とし、設計の自由度を向上させ、かつ当該縁部の厚みが厚くならず、当該縁部が外衣に反映して段差となって現れることなどがないなどの縁始末不要な縁を有する衣料の利点を有し、かつ衣料の当該裁断されたままの状態で縁始末不要な縁部を有する部片の引裂き強度が改善され、当該縁部がカーリングすることのない伸縮性を有する衣料を提供出来る。しかも、非弾性糸と弾性糸を同行させた１×１トリコット（デンビ組織）の如く２枚以上積層しなくとも、当該縁始末不要な縁部を有する部片の引裂き強度が改善されているので、薄い生地で着用感を優先する衣料にも好適に使用でき、また、もし２枚以上積層して用いる場合には、更に引裂き強度の優れた縁始末不要な縁部を有する衣料を提供することができる。
【００１０】
また、非弾性糸と弾性糸を同行させた１×１トリコット（デンビ組織）を用いた場合に比べて薄く、肌触りのよい縁始末不要な縁部を有する衣料を提供することができる。
【発明を実施するための最良の形態】
【００１１】
本発明の衣料においては、前記部片（Ｐ）が、非弾性糸がプレーンコード組織であり、弾性糸が前記非弾性糸と同行するデンビ組織またはプレーンコード組織である伸縮性の経編地を用い、当該部片（Ｐ）の縁のいずれかを裁断されたままの状態で縁始末不要な縁部（フリーカット縁部）として衣料を形成したので、衣料の当該裁断されたままの状態で縁始末不要な縁部を有する部片の引裂き強度が改善され、当該縁部がカーリングすることのない伸縮性を有する衣料を提供出来たものである。
【００１２】
（２）前記（１）項に記載の衣料においては、前記部片（Ｐ）に用いられる経編地が、非弾性糸がプレーンコード組織であり、弾性糸が前記非弾性糸と同行するデンビ組織である伸縮性の経編地からなることが好ましい。
【００１３】
（３）前記（１）項に記載の衣料においては、前記部片（Ｐ）に用いられる経編地が、非弾性糸がプレーンコード組織であり、弾性糸が前記非弾性糸と同行するプレーンコード組織である伸縮性の経編地からなることが好ましい。
【００１４】
（４）前記（１）〜（３）項のいずれかに記載の衣料においては、前記経編地が、前記非弾性糸と前記弾性糸の少なくとも一方が閉じ目である経編地からなることが好ましい。
【００１５】
（５）前記（１）〜（４）項のいずれかに記載の衣料においては、前記経編地が、前記非弾性糸と前記弾性糸の両方が閉じ目である経編地からなることが好ましい。
【００１６】
（６）前記（１）〜（５）項のいずれかに記載の衣料においては、前記経編地が、前記非弾性糸と前記弾性糸のみからなることが好ましい。
【００１７】
（７）前記（１）〜（６）項のいずれかに記載の衣料においては、前記経編地のウェール方向の密度が、２．５４ｃｍ（１インチ）当たり５５ウエール以上であることが好ましい。
【００１８】
（８）前記（１）〜（７）項のいずれかに記載の衣料においては、前記経編地のウェール方向の密度が、２．５４ｃｍ（１インチ）当たり６０ウエール以上であることが好ましい。
【００１９】
（９）前記（１）〜（８）項のいずれかに記載の衣料においては、前記経編地のウェール方向の密度が、２．５４ｃｍ（１インチ）当たり６５ウエール以上であることが好ましい。
【００２０】
（１０）前記（１）〜（９）項のいずれかに記載の衣料においては、前記部片（Ｐ）の衣料における上縁あるいは下縁の少なくとも一方が、裁断されたままの状態で縁始末不要な縁からなることが好ましい。
【００２１】
（１１）前記（１）〜（１０）項のいずれかに記載の衣料においては、前記部片（Ｐ）の衣料における上縁及び下縁の両方が、裁断されたままの状態で縁始末不要な縁からなることが好ましい。
【００２２】
（１２）前記（１）〜（１１）項のいずれかに記載の衣料においては、前記部片（Ｐ）の衣料における上縁および下縁のラインの両方の縁が、裁断されたままの状態で縁始末不要な縁からなり、上縁および下縁が相互に非平行であることが好ましい。
【００２３】
（１３）前記（１）〜（１２）項のいずれかに記載の衣料においては、前記部片（Ｐ）の衣料における上縁および下縁の両方の縁が、裁断されたままの状態で縁始末不要な縁からなり、上縁の縁の形状と、下縁の縁の形状が異なっていることが好ましい。
【００２４】
（１４）前記（１）〜（１１）、（１３）項のいずれかに記載の衣料においては、前記部片（Ｐ）の衣料における上縁あるいは下縁の少なくとも一方が、裁断されたままの状態で縁始末不要な縁からなり、当該縁始末不要な縁が曲線状であることが好ましい。
【００２５】
（１５）前記（１）〜（１１）、（１３）項のいずれかに記載の衣料においては、前記部片（Ｐ）の衣料における上縁および下縁の両方が、裁断されたままの状態で縁始末不要な縁からなり、当該両方の縁始末不要な縁が曲線状であることが好ましい。
【００２６】
（１６）前記（１４）〜（１５）項のいずれかに記載の衣料においては、前記縁始末不要な縁の曲線が、凹状の曲線であることが好ましい。
【００２７】
（１７）前記（１）〜（１１）項のいずれかに記載の衣料においては、前記部片（Ｐ）の衣料における上縁あるいは下縁の少なくとも一方が、裁断されたままの状態で縁始末不要な縁からなり、当該縁始末不要な縁が波形状であることが好ましい。
【００２８】
（１８）前記（１）〜（１２）項のいずれかに記載の衣料においては、前記部片（Ｐ）の衣料における上縁および下縁の両方が、裁断されたままの状態で縁始末不要な縁からなり、当該両方の縁始末不要な縁が波形状であることが好ましい。
【００２９】
（１９）前記（１）〜（１２）項のいずれかに記載の衣料においては、前記部片（Ｐ）の裁断されたままの状態で縁始末不要な縁の少なくとも一つがが、編方向と平行なラインに対し±９０度未満の鋭角で裁断された縁を含むことが好ましい。
【００３０】
（２０）前記（１）〜（１９）項のいずれかに記載の衣料においては、衣料がガードル、ショーツ、ボディスーツ、水着、レオタード、スパッツ、スポーツ用タイツ、ブラジャーから選ばれた衣料であることが好ましい。
【００３１】
（２１）前記（１）〜（１９）項のいずれかに記載の衣料においては、衣料が、衣料全体が身体に密着しヒップ部を有する衣料であることが好ましい。
【００３２】
（２２）前記（１）〜（２０）項のいずれかに記載の衣料においては、衣料が、ショーツ又はガードルであり、当該ショーツ又はガードルの裾部及びウェストライン部の少なくとも一方が前記部片（Ｐ）の裁断されたままの状態で縁始末不要な縁からなることが好ましい。
【００３３】
（２３）前記（１）〜（９）項のいずれかに記載の衣料においては、衣料が、ショーツ又はショートタイプのガードルであり、当該ショーツ又はガードルの少なくとも裾部が前記部片（Ｐ）の裁断されたままの状態で縁始末不要な縁からなり、前記裾部のうち後裾部の縁が、編方向と平行なラインに対し±９０度未満の鋭角で裁断した縁を含むことが好ましい。
【００３４】
（２４）前記（１）〜（２３）項のいずれかに記載の衣料においては、前記部片（Ｐ）が、衣料の上下方向に連続した経編地からなることが好ましい。
【００３５】
（２５）前記（１）〜（１９）項のいずれかに記載の衣料においては、衣料が、ショーツ、ショートタイプのガードル、ボディスーツ、ワンピース型水着、セパレートタイプ水着のボトム、からなる群から選ばれた、クロッチ部の左右の縁が当該衣料の裾の一部を形成している衣料であって、前記クロッチ部の左右の縁も含む脚部の縁全周が、前記部片（Ｐ）の裁断されたままの状態で縁始末不要な縁からなることが好ましい。
【００３６】
（２６）前記（１）〜（１９）項のいずれかに記載の衣料においては、衣料が、ショーツ又はショートタイプのガードルであり、当該ショーツ又はガードル本体が、1枚の連続した前記部片（Ｐ）から形成されていることが好ましい。
【００３７】
（２７）前記（１）〜（１９）、（２１）〜（２４）及び（２６）項のいずれかに記載の衣料においては、衣料が、ショーツ又はショートタイプのガードルであり、当該衣料本体のクロッチ部の内側に、更に内側クロッチ部片が取付けられており、衣料本体のクロッチ部と内側クロッチ部片の主たる伸縮方向がほぼ横方向となる様に、内側クロッチ部片が取付けられていることが好ましい。
【００３８】
（２８）前記（２７）に記載の衣料においては、内側クロッチ部片の上縁と下縁が、衣料本体のクロッチ部に、縫着もしくは接着されず、浮いた状態となっていることが好ましい。
【００３９】
（２９）前記（２６）または（２７）項のいずれかに記載の衣料においては、内側クロッチ部片が、内側クロッチ部片の左右両側縁それぞれの複数箇所で部分的に衣料本体のクロッチ部に縫着もしくは接着されていることが好ましい。
【００４０】
（３０）前記（２６）〜（２９）項のいずれかに記載の衣料においては、前記１枚の連続した部片（Ｐ）の編方向が、衣料のほぼ横方向となる様に前記部片（Ｐ）が裁断されて用いられていることが好ましい。
【００４１】
（３１）前記（２６）〜（３０）項のいずれかに記載の衣料においては、衣料本体が1枚の連続した前記部片（Ｐ）から形成されている前記ショーツ又はショートタイプのガードルにおいて、前記ショーツ又はショートタイプのガードルの左右脇部のみが縫着もしくは接着されて衣料が形成されていることが好ましい。
【００４２】
（３２）前記（１）〜（１９）項のいずれかに記載の衣料においては、衣料がブラジャー、もしくは水着あるいはレオタードのトップスであり、前記部片（Ｐ）の裁断されたままの状態で縁始末不要な縁が、バック布の上縁又は下縁の少なくとも一方の縁を形成していることが好ましい。
【００４３】
（３３）前記（１）〜（１９）項のいずれかに記載の衣料においては、衣料がブラジャー、もしくは水着あるいはレオタードのトップスであり、前記部片（Ｐ）の裁断されたままの状態で縁始末不要な縁が、バック布の上縁及び下縁の両方の縁を形成していることが好ましい。
【００４４】
（３４）前記（３２）〜（３３）項のいずれかに記載の衣料においては、前記部片（Ｐ）の裁断されたままの状態で縁始末不要な縁が、波形状の縁であることが好ましい。
【００４５】
（３５）前記（２５）〜（３４）項のいずれかに記載の衣料においては、前記バック布が、前記部片（Ｐ）に更に、伸縮性の経編地からなり裁断されたままの状態で縁始末不要な縁を有する部片（Ｐ２）が積層された積層体からなり、
前記部片（Ｐ２）が、前記部片（Ｐ）から選ばれた部片か、または、前記部片（Ｐ）とは異なる編組織を有する伸縮性の経編地からなる部片（Ｐ２−１）であることが好ましい。
【００４６】
（３６）前記（１）〜（３５）項のいずれかに記載の衣料においては、前記部片（Ｐ）を形成する前記非弾性糸の太さが１１〜７７ｄｔｅｘであり、前記弾性糸の太さが２２〜２２２ｄｔｅｘであることが好ましい。
【００４７】
本発明の衣料において、裁断されたままの状態で縁始末不要な縁（フリーカット縁部）を形成しうる部片（Ｐ）に用いる伸縮性経編地は、非弾性糸がプレーンコード組織であり、弾性糸が前記非弾性糸と同行するデンビ組織または前記非弾性糸と同行するプレーンコード組織からなる伸縮性の経編地である。
具体的には、次に示すような編み組織を有する生地を用いることができるが、特に以下のもののみに限定されるものではなく、本発明の目的が達成できる範囲で、他の糸を更に編み込んだり、挿入したり、ジャカード柄模様を形成したりすることは何ら差し支えない。
図１は、本発明の部片（Ｐ）に用いる伸縮性の経編地の一例の編組織図である。
１が例えば第１のガイドバー（筬）Ｌ１に通糸されて編まれる非弾性糸、２が例えば第２のガイドバーＬ２に通糸されて編まれる弾性糸であり、非弾性糸１はプレーンコード組織で編まれ、弾性糸２は前記非弾性糸１と同行するデンビ組織で編まれている。
【００４８】
ちなみに本発明で言う「同行」とは、ある同じコースにおける非弾性糸１及び弾性糸２のシンカーループ、例えばシンカーループ３、４に注目した場合に、シンカーループの傾きの方向が非弾性糸１及び弾性糸２のいずれも左下から右上に向かう方向である。このように、ある同じコースにおける非弾性糸１及び弾性糸２のシンカーループの傾きの方向が同じ場合で、非弾性糸と弾性糸が重ねて編み込まれている場合を、「同行」と言う。
そして、図１で示した編組織は、前記非弾性糸１と前記弾性糸２の両方が閉じ目で編成された経編地である。
図１で示した編組織は、非弾性糸１と弾性糸２の編組織を各ガイドバーＬ１、Ｌ２ごとに別個に示しているが、これらを重ね合わせた編組織図で示すと、図１１に示した組織図となる。以下の別の態様の非弾性糸１がプレーンコード組織で編まれ、弾性糸２が前記非弾性糸１と同行するデンビ組織で編まれる場合も、非弾性糸１と弾性糸２を重ね合わせた編組織図は、非弾性糸１と弾性糸２の閉じ目と開き目の組み合せ方が異なる点を除けば、図１１に示した組織図と原理的には同一であり、したがって、以下の態様については、非弾性糸１と弾性糸２の編組織を重ね合わせた編組織図の図示は省略している。
次に図２は、本発明の部片（Ｐ）に用いる伸縮性の経編地の別の一例の編組織図であり、非弾性糸１はプレーンコード組織で編まれ、弾性糸２は前記非弾性糸１と同行するデンビ組織で編まれている点は図１の編組織と同様である。
図１の編組織と異なる点は、非弾性糸１が閉じ目で編成され、弾性糸２が開き目で編成された経編地である点である。
次に図３は、本発明の部片（Ｐ）に用いる伸縮性の経編地の更に別の一例の編組織図であり、非弾性糸１はプレーンコード組織で編まれ、弾性糸２は前記非弾性糸１と同行するデンビ組織で編まれている点は図１の編組織と同様である。
図１の編組織と異なる点は、非弾性糸１が開き目で編成され、弾性糸２が閉じ目で編成された経編地である点である。
次に図４は、本発明の部片（Ｐ）に用いる伸縮性の経編地の更に別の一例の編組織図であり、非弾性糸１はプレーンコード組織で編まれ、弾性糸２は前記非弾性糸１と同行するデンビ組織で編まれている点は図１の編組織と同様である。
図１の編組織と異なる点は、非弾性糸１と弾性糸２とがともに開き目と閉じ目とを交互に、ただし、同じ編針位置において非弾性糸１の開き目に対して弾性糸２は閉じ目、同様に非弾性糸１の閉じ目に対して弾性糸２は開き目が組み合わされ編成された経編地である点である。
次に図５は、本発明の部片（Ｐ）に用いる伸縮性の経編地の更に別の一例の編組織図であり、非弾性糸１はプレーンコード組織で編まれ、弾性糸２は前記非弾性糸１と同行するデンビ組織で編まれている点は図１の編組織と同様である。
図１の編組織と異なる点は、非弾性糸１と弾性糸２とがともに開き目で編成された経編地である点である。
次に図６は、本発明の部片（Ｐ）に用いる伸縮性の経編地の更に別の一例の編組織図である。
１が例えば第１のガイドバー（筬）Ｌ１に通糸されて編まれる非弾性糸、２が例えば第２のガイドバーＬ２に通糸されて編まれる弾性糸であり、非弾性糸１がプレーンコード組織で編まれ、弾性糸２も前記非弾性糸１と同行するプレーンコード組織で編まれている。
そして、図６で示した編組織は、前記非弾性糸１と前記弾性糸２の両方が閉じ目で編成された経編地である。
図６で示した編組織は、非弾性糸１と弾性糸２の編組織を各ガイドバーＬ１、Ｌ２ごとに別個に示しているが、これらを重ね合わせて描いた編組織図で示すと、図１２に示した組織図となる。以下、非弾性糸１と弾性糸２がともに同行するプレーンコード組織で編まれる別の態様の場合も、非弾性糸１と弾性糸２を重ね合わせた編組織図は、非弾性糸１と弾性糸２の閉じ目と開き目の組み合せ方が異なる点を除けば、図１２に示した組織図と原理的には同一であり、したがって、以下の態様については、非弾性糸１と弾性糸２の編組織を重ね合わせた編組織図の図示は省略している。
次に図７は、本発明の部片（Ｐ）に用いる伸縮性の経編地の更に別の一例の編組織図であり、非弾性糸１と弾性糸２がともに同行するプレーンコード組織で編まれている点は図６の編組織と同様である。
図６の編組織と異なる点は、非弾性糸１が閉じ目で編成され、弾性糸２が開き目で編成された経編地である点である。
次に図８は、本発明の部片（Ｐ）に用いる伸縮性の経編地の更に別の一例の編組織図であり、非弾性糸１と弾性糸２がともに同行するプレーンコード組織で編まれている点は図６の編組織と同様である。
図６の編組織と異なる点は、非弾性糸１が開き目で編成され、弾性糸２が閉じ目で編成された経編地である点である。
次に図９は、本発明の部片（Ｐ）に用いる伸縮性の経編地の更に別の一例の編組織図であり、非弾性糸１と弾性糸２がともに同行するプレーンコード組織で編まれている点は図６の編組織と同様である。
図６の編組織と異なる点は、非弾性糸１と弾性糸２とがともに開き目と閉じ目とを交互に、ただし、同じ編針位置において非弾性糸１の開き目に対して弾性糸２は閉じ目、同様に非弾性糸１の閉じ目に対して弾性糸２は開き目が組み合わされ編成された経編地である点である。
次に図１０は、本発明の部片（Ｐ）に用いる伸縮性の経編地の更に別の一例の編組織図であり、非弾性糸１と弾性糸２がともに同行するプレーンコード組織で編まれている点は図６の編組織と同様である。
図６の編組織と異なる点は、非弾性糸１と弾性糸２とがともに開き目で編成された経編地である点である。
このうち、（ａ）図１と図６で示した編地が非弾性糸１と弾性糸２とがともに閉じ目で編成された経編地であるので、裁断されたままの状態で縁始末不要な縁部を有する部片の引裂き強度、当該縁部のほつれが生じにくい点で最も好ましく、次に好ましいのが、（ｂ）図２、３、４、と図７、８、９で示した編地が、同じ編み針位置において、非弾性糸１と弾性糸２の一方が閉じ目で編成された経編地であるので、裁断されたままの状態で縁始末不要な縁部を有する部片の引裂き強度、当該縁部のほつれが生じにくい点で好ましい。また、（ｃ）図５と図１０で示した非弾性糸１と弾性糸２の両方が開き目で編成された経編地は、より薄くできる点が特徴である。
従って縁始末不要な縁部を有する部片を２枚以上重ねて積層せずに、単層で使用する場合は、上記の経編地のうち（ａ）と（ｂ）が好ましく、特に（ａ）が好ましい。前記縁始末不要な縁部を有する部片を２枚以上重ねて積層して用いる場合には（ａ）、（ｂ）、（ｃ）のいずれの組み合せの積層部片も好適に使用できる。
以上、図１〜図１０で示した前記経編地において、前記非弾性糸１と前記弾性糸２のみからなる経編地は、特に薄地に好適な編組織の編地である。
本発明で用いる前記縁始末不要な縁部を有する部片（Ｐ）の引裂き強度が、非弾性糸と弾性糸を同行させた１×１トリコット（デンビ組織）（Ｑ）に比べて向上する理由は定かではないが、組織図からも容易に理解できるが、ある１つのコースにおける同一ウェール数の編組織を比べると、（Ｑ）に比べて（Ｐ）の組織の方が、糸の本数がより多くなる組織となるためではないかと推定している。
そして本発明の目的が阻害されない範囲で、例えば、これらに必要に応じて更に他の非弾性糸や弾性糸を編み込んだり挿入してもよい。また、ジャカード柄模様を編地に形成する場合には、第３の非弾性糸などをジャカード制御されるガイドバーに通糸して、柄模様部分のみ前記非弾性糸１と前記弾性糸２とは異なる編組織、例えば鎖編組織とするなどの手段で形成可能である。
また、ある特定領域の伸縮パワーを強めたい場合には、その領域に編み込まれる前記弾性糸２の太さを他の領域に編み込まれる前記弾性糸２の太さよりも太くするとか、伸縮パワーを強めたい領域に更に別途弾性糸を挿入するなどの適宜の手段で達成できる。
【００４９】
これらの編組織の経編地を、編み方向と平行なラインに対し、±９０度未満の鋭角で裁断した始末不要な縁は、裁断したままの状態でも縁部のほつれが一層生じにくく、かつカーリングがより発生しにくくなるので好ましい。より好ましくは編み方向と平行なラインに対し、±３度〜±８７度、更により好ましくは±２０度〜±８０度の範囲で裁断した縁とすることが好ましい。
【００５０】
また、縁始末不要な縁の裁断ラインの形状が、曲線状、より好ましくは凹状の曲線とするか、または波形状（規則的でも不規則な波形状でもよい）に裁断した始末不要な縁は、裁断したままの状態でも縁部のほつれが一層生じにくく、かつカーリングがより発生しにくくなるので好ましい。
【００５１】
以上、上記に説明した部片（Ｐ）は、上述した本発明の編組織であれば、１枚（単層）のままでも衣料を形成することができ、裁断したままの縁をそのまま衣料の縁として使用しても、当該縁部のほつれが生じることを防止できる。
【００５２】
尚、上記に説明した部片（Ｐ）は、必要に応じ、当該部片（Ｐ）同士または当該部片（Ｐ）と他の布などと合計２枚またはそれ以上を重ねて積層し例えば樹脂接着剤などで接合して積層物として用いることも出来る。部片として複数枚の編地を積層して用いる場合には、通常、編地２枚を積層すれば充分であるが、必要に応じて３枚以上積層してもよい。ブラジャーのバック布、もしくはセパレートタイプの水着あるいはレオタードのトップスにおけるバック布、或いはセパレートタイプの水着ないしレオタードのトップスやブラジャーなどの左右の乳房カップ部を連結する前中心部布、或いは、左右の乳房カップ部を連結し支える土台布などの素材として用いる場合には、このように複数枚の編地を積層した部片を用いると、一段と引裂き強度の優れた、裁断したままで縁始末不要な縁を有するバック布などとし得る。
【００５３】
上記のように２枚以上積層する場合の布地の組み合せとしては、前記部片（Ｐ）に、伸縮性の経編地からなり裁断されたままの状態で縁始末不要な縁を有する部片（Ｐ２）が積層されるのであるが、前記部片（Ｐ２）としては、前記部片（Ｐ）から選ばれた部片か、または、前記部片（Ｐ）とは異なる編組織を有する伸縮性の経編地からなる部片（Ｐ２−１）が挙げられる。
【００５４】
例えば、次のような態様が挙げられる。
【００５５】
前記、図１〜１０などで説明したような非弾性糸がプレーンコード組織であり、弾性糸が前記非弾性糸と同行するデンビ組織またはプレーンコード組織である本発明で用いる伸縮性の経編地から選ばれたいずれか同士の組み合せからなる積層部片が挙げられ、特に、編組織が実質同一のもの同士の組み合せが、積層した場合にしわなどが発生しにくく好ましい。
【００５６】
また、前記、図１〜１０などで説明したような非弾性糸がプレーンコード組織であり、弾性糸が前記非弾性糸と同行するデンビ組織またはプレーンコード組織である本発明で用いる伸縮性の経編地からなる部片（Ｐ）に更に、伸縮性の経編地からなり裁断されたままの状態で縁始末不要な縁を有する部片（Ｐ２）であって、前記本発明で用いる部片（Ｐ）とは異なる編組織を有する伸縮性の経編地からなる部片（Ｐ２−１）を積層したものも使用可能である。前記本発明で用いる部片（Ｐ）とは異なる編組織を有する部片（Ｐ２−１）としては、例えば、非弾性糸と弾性糸が同行または逆行するデンビ組織からなる伸縮性経編地などが挙げられる。
【００５７】
また、前述したジャカード柄模様を有する部片と、ジャカード柄模様を持たない部片とを用いて積層部片とする場合には、ジャカード柄模様を有する部片が衣類の表側になるように使用することが好ましい。
【００５８】
積層部片を作成する場合には、予め複数枚の部片を重ねて積層してから所望の形状に裁断してもよいし、予めそれぞれの部片を所定の形状に裁断しておいて、それら複数枚を重ねて積層してもよい。
【００５９】
いずれの場合も、同形状に裁断された複数枚の部片が積層されている場合には、積層後は、各層が相互に接着されて実質的に１枚の状態となる。この場合も縁部始末不要な縁部は、縁部始末を必要としないので、縁部分が他の部分に比べて厚くなることはなく、よって段差が生じない。また、積層前の１枚（単層）の状態でもほつれの生じない編地を積層しているため、積層部片の縁部がさばけたり、糸端が突出することなく、縁部を綺麗に出来る。もちろん、引裂き強度などは一層優れたものとすることができる。
【００６０】
積層する部片は、単層で同形状である部片複数枚を用いて積層すると、上述したように段差がなく好ましい。しかし、必要とする強度などに応じ、互いに異なる形状の部片同士を積層してもよい。その場合、肌に直接触れる方の部片をより広い面積を有する形状の部片とし、外側となる部片の縁部は、肌に接する側の部片の面積より小さい面積のものを用い、肌に接する側の部片のエリアの内側に収まる様に設計すると、段差が直接肌に接することがなく、好ましい。また、必要に応じて、外側に、レースなどの装飾性を有する素材を積層してもよい。
【００６１】
積層の際の接着手段は特に限定するものではないが、熱融着性の樹脂などが接着剤として用いられる。これらの接着剤を積層すべき布の積層面に点状に多数個配置し、多数の点状に点接着することが通気性の点で好ましい。
次に、使用する非弾性糸としては、伸縮性衣類の種類により異なるが、ナイロンやポリエステルなどの合成繊維、レーヨンなどの半合成繊維、絹や綿などの天然繊維のいずれでも、またフィラメント糸、紡績糸のいずれも使用することができる。なかでも吸水性に富むナイロンはインナーウエア用編地として好ましく用いられる。弾性糸についてもとくに制限はないが、一般にカバリングを行っていないポリウレタン弾性糸や当該弾性糸を非弾性糸でカバーしたカバリング糸等が使用できる。 カバリングを行っていない弾性糸を用いる方が、編密度を上げやすく、裁断されたままで縁始末不要な縁のほつれなどの発生もより少なく出来る観点からは好ましい。
非弾性糸は、細い方が編目を高密度にしやすい。一方、細すぎると強度が弱くなってしまう。よって、１１〜７７ｄｔｅｘ、より好ましくは１６〜５６ｄｔｅｘが編地を高密度にしやすく、かつ安定した強度のある編み組織とすることができるので好ましい。綿糸を用いる場合には、５０〜１００番手の綿糸が好ましく用いられる。
【００６２】
弾性糸は、細い方が編地を高密度とできる。したがって用いる弾性糸の太さは、２２〜２２２ｄｔｅｘが好ましく、より好ましくは、２２〜１５６ｄｔｅｘである。
【００６３】
あまりに太い弾性糸を用いると、裁断したままで縁部始末不要な状態は実現できるが、伸度が少なくなり、身体に密着する衣料に使用するには、着用しにくくなったり、身体にかかる圧力が強くなりすぎて着用感が低下する。上記の範囲であれば、このような問題も生じないので好ましい。
【００６４】
２２２ｄｔｅｘを超える弾性糸でも伸度を要求しない部位には使用しうる。
そして、かかる伸縮性経編地においては、編み目の安定性、裁断されたままの縁のほつれ防止効果などを得る目的でプレセット処理または／およびヒートセット処理の施されているものが、好適である。処理温度は、装置の形状、プレセット処理時間、ヒートセット処理時間、素材の種類、編地の厚さなどにもよるが、１８０℃以上、好ましくは１８５℃以上の温度で、さらに確実に前記の効果を得るには１９０℃〜１９５℃の範囲で前記処理が施されていると、編地の一部が軟化し軽く編目が融着して編地の形態が安定し、裁断されたままの縁が特にほつれにくくなり好ましい。
また、一般的な編地では仕上巾を１６０ｃｍ前後にするが、この伸縮性経編地では仕上巾を１００〜１４０ｃｍ、より具体的には、１１０ｃｍ、１２０ｃｍ、１３０ｃｍなどと短くし、可能な範囲で高密度に編成したものが、伸縮性衣類において編目の美しさを保持しつつ、その安定性が向上するのでに望ましい。使用する編糸の繊度等にもよるが、２．５４ｃｍ（１インチ）当たり５５ウエール以上、好ましくは６０ウエール以上、より好ましくは６５ウエール以上、更に好ましくは７０ウエール以上の高密度に編地を編成し、編地のよこ伸びの割合を大きくすることが好ましい。
【００６５】
尚、本発明で用いる裁断されたままの状態で縁始末不要な縁を形成しうる経編地は、レース生地ではない。
【００６６】
本発明で用いる前記編組織を有し裁断されたままの状態で縁始末不要な縁を有する部片（Ｐ）を用いることにより、裁断されたままの状態で縁始末不要な縁（フリーカット縁部）の身体へのフィット性が向上し、当該縁部分が、着用者の身体外側にカールすることを防止でき好ましい。即ち、前述のように、非弾性糸をプレーンコード組織とし弾性糸が前記非弾性糸と逆行するデンビ組織からなる伸縮性経編地で、フリーカット縁部を、衣料の上縁又は下縁、例えば、ウェストや裾などに有する衣料は、当該縁部分が、着用者の身体外側にカールしてしまう。このようなカールを生じないようにするには、部片（Ｐ）の編組織を本発明で規定した編組織とする必要がある。そして、より好ましくは、前述したように、編み方向と平行なラインに対し、±９０度未満の鋭角で裁断した始末不要な縁とすることが、裁断したままの状態でも縁部のほつれが一層生じにくく、かつカーリングがより発生しにくくなるので好ましい。より好ましくは編み方向と平行なラインに対し、±３度〜±８７度、更により好ましくは±２０度〜±８０度の範囲で裁断した縁とすることが好ましい。
【００６７】
また、縁始末不要な縁の裁断ラインの形状を、曲線状、より好ましくは凹状の曲線とするか、または波形状（規則的でも不規則な波形状でもよい）に裁断することによっても、裁断したままの状態でも縁部のほつれが一層生じにくく、かつカーリングがより発生しにくくなるので好ましい。
【００６８】
ブラジャー、もしくは水着あるいはレオタードのトップスの場合は、バック布となる部片は、編み方向に対して直角もしくは平行な方向に対し±２０度近傍などの編み方向に対して平行もしくは直角に近い角度で裁断を行うと、バック布の着用時に横方向に伸度を持たせることができ、着用感が向上するため好ましい。
【００６９】
フリーカット縁部の形状を波形状とする場合において、波形状は規則的な単純な曲線の繰り返しからなるものに限られず、不規則な波形状であってもよい。裁断したままの縁部の形状を波形状にする場合には、各波形状の曲線の曲率をあまり小さくしない方が引裂き強度が低下せず、また、当該縁部のめくれなどもより生じにくくなり好ましい。
【００７０】
また、本発明の部片は、縁部を１つの円弧状の曲線とすること、あるいは波形状とすることが可能であることは上述した通りであるが、例えば、ガードルやショーツなどのボトム衣料の場合、ウェストラインは下方に向かって窪む凹状の曲線であることが、カーリングを防止し、ウェストにフィットできより好ましい。また、ショートのガードル、ショーツの後裾ラインは、後裾部の縁が、編方向と平行なラインに対し±９０度未満の鋭角で裁断した縁を含むか、下方に向けて凸状の円弧状の曲線とするか、波形状とすることが、特にこの縁部分のカーリングを防止し、ヒップラインにフィットできる点からも好ましい。
【００７１】
上記部片の上下縁部が当接する身体部位にフィットできるように、上縁の形状、下縁の形状を異なる形状としたり、上縁と下縁を非平行とする、あるいは上縁と下縁の形状を異ならせ、かつ上縁と下縁を非平行とすることによって、立体形状である身体にフィットさせることができ好ましい。
【００７２】
また、本発明においては、裁断されたままの状態で縁始末不要な縁を形成しうる生地に、部分的に弾性糸によって伸縮パワーが変化している領域を設けることも、体型補整機能を向上させることができ、好ましい。「伸縮パワーが変化している領域」とは、例えば、伸縮パワーの強い領域とそれより伸縮パワーが弱い領域が１枚の編地中に形成されていることを意味している。伸縮パワーの強い領域とそれより伸縮パワーが弱い領域は２段階以上のグレードの伸縮パワーの異なる領域を有する場合も含み、また、伸縮パワーが連続的に変化してもよい。伸縮パワーの強い領域とそれより伸縮パワーの弱い領域の境界ラインは通常直線状であるが、必ずしもこれに限定されない。
【００７３】
部分的に弾性糸によって伸縮パワーが直線状に変化している領域を設けるには、更に次の様な手法を適用してもよい。
【００７４】
（ａ）編み込む弾性糸の太さが異なる複数の領域を形成することにより伸縮パワーの異なる複数の領域を形成する方式。
【００７５】
（ｂ）編み込む弾性糸の本数が異なる複数の領域を形成することにより伸縮パワーの異なる複数の領域を形成する方式。
【００７６】
（ｃ）前記（ａ）と（ｂ）の適宜の組み合せにより伸縮パワーの異なる複数の領域を形成するする方式。
【００７７】
尚、更に、第２の非弾性糸を編み込むか挿入することにより、伸縮パワーの異なる複数の領域を形成することもできる。
【００７８】
ここにおいて、伸縮パワーが強いとは、伸縮パワーが弱い領域に比べて、その緊締力が強く、同じ応力をかけて伸ばした場合、伸びが少ないことを意味する。
また、本発明で用いる部片（Ｐ）が衣料の少なくとも一部の部片として用いられる場合に、衣料の他の部分の部片として、従来法の、抜き糸を編み込んでおいてそれを抜くことにより縁始末不要な縁となっている生地、あるいは縁始末が必要な生地（以下、この生地を、「本発明とは別の生地」と略称することがある）を用いてもよい。
【００７９】
本発明は、身体に密着する衣料に適用されることが効果的である。本発明が適用される好ましい衣料としては、ショートガードル、ロングガードル、ショーツ、スパッツ、ブラジャー、水着、レオタード、ボディスリップ、ボディキャミソール、ボディースーツ、ボディテディなどが挙げられる。
【００８０】
より詳細な態様例としては、衣料が、ショーツ、ショートタイプのガードル、ボディスーツ、ワンピース型水着、セパレートタイプ水着のボトム、などの、クロッチ部の左右の縁が当該衣料の裾の一部を形成しているような衣料の場合、前記クロッチ部の左右の縁も含む脚部の縁部全周が、前記部片（Ｐ）の裁断されたままの状態で縁始末不要な縁からなる衣料などが挙げられる。このような衣料で、衣料本体のクロッチ部が単層の前記部片（Ｐ）から形成されている場合などにおいては、当該クロッチ部の内側に、更に内側クロッチ部片が取付けられていることが好ましい。この場合に、衣料本体のクロッチ部と内側クロッチ部片の主たる伸縮方向がほぼ横方向となる様に、内側クロッチ部片が取付けられていることが好ましい。内側クロッチ部片としては、従来からこれらの衣料の内側クロッチ部片に用いられている素材を用いることができる。特に、綿を含んだ肌触りの良い素材を用いることが好ましい。
【００８１】
衣料本体のクロッチ部の内側に、更に内側クロッチ部片を取付ける手法としては、衣料本体のクロッチ部の内側に、内側クロッチ部片を接着（縁部の一部ないしは全部を接着、或いは全面接着）、もしくは内側クロッチ部片の縁部の一部ないしは全部が縫着されるなどの手法が挙げられる。
【００８２】
そのうちでも、内側クロッチ部片の上縁と下縁がそれぞれその左右の両端部を除いて、衣料本体のクロッチ部に、縫着もしくは接着されず、浮いた状態（フリーな状態）となっていることが好ましく、従って、内側クロッチ部片は、内側クロッチ部片の左右両側縁それぞれの複数箇所で部分的に衣料本体のクロッチ部に縫着もしくは接着されていることが好ましい。内側クロッチ部片の大きさは、特に限定するものではないが、左右方向横幅は、当接する衣料本体のクロッチ部分の幅と同じ程度で、長さは衣料本体のクロッチ部分より若干短いことが好ましい。
【００８３】
内側クロッチ部片としては、幅方向には伸縮性があり、長さ方向には余り伸縮性のない生地を用いることが好ましい。
【００８４】
衣料が、ショーツ、ショートタイプのガードルなどの場合には、後述する実施例１などで説明するように、衣料本体を1枚の連続した前記部片（Ｐ）から形成することも出来、この場合に前記ショーツ又はショートタイプのガードルの左右脇部のみが縫着もしくは接着されて衣料を形成することもできる。この実施形態は縫製箇所が極めて少なく、製造コストを大幅に下げることができるとともに、縫製箇所による段差の発生もより少なくすることが出来、極めて好ましい態様である。この態様も、前記クロッチ部の左右の縁も含む脚部の縁部全周が、前記部片（Ｐ）の裁断されたままの状態で縁始末不要な縁からなる衣料となり、この態様においても、前述したように、衣料本体のクロッチ部の内側に、更に内側クロッチ部片が取付けられていることが好ましい。そしてこの場合も、衣料本体のクロッチ部と内側クロッチ部片の主たる伸縮方向がほぼ横方向となる様に、内側クロッチ部片が取付けられていることが好ましい。そして、内側クロッチ部片の上縁と下縁がそれぞれその左右の両端部を除いて、衣料本体のクロッチ部に、縫着もしくは接着されず、浮いた状態（フリーな状態）となっていることが好ましく、従って、内側クロッチ部片は、内側クロッチ部片の左右両側縁それぞれの複数箇所で部分的に衣料本体のクロッチ部に縫着もしくは接着されていることが好ましい。内側クロッチ部片の左右両側縁それぞれの複数箇所とは、左右両側縁全部を衣料本体のクロッチ部に縫着もしくは接着するのではなく、内側クロッチ部片の左右両側縁ライン上を部分的に複数箇所で衣料本体のクロッチ部に縫着もしくは接着することが好ましいことを意味している。内側クロッチ部片の左右両側縁ライン上において、それぞれ２〜４箇所程度縫着もしくは接着することが好ましい。このように部分的に縫着もしくは接着することが、縫合ラインが表面にでることも少なく、内側クロッチ部片と衣料本体のクロッチ部が遊離することもなく好ましい。左右両側縁ライン上の上下端部近傍と中間部分が衣料本体のクロッチ部に縫着もしくは接着されている態様が特に好適な態様の一例である。
【００８５】
このように部分的に複数箇所を縫着もしくは接着する場合に、1箇所の縫着もしくは接着箇所の長さは例えば０．５〜１．５ｃｍ程度で縫着もしくは接着箇所数に応じて選択するのが好ましい。この取り付け態様は、ショーツ、ショートタイプのガードルに限定されるものではなく、上述したボディスーツ、ワンピース型水着、セパレートタイプ水着のボトム、その他のクロッチ部を有する衣料にも適用し得る。
【００８６】
内側クロッチ部片の、上縁、下縁は、衣料本体布の横方向の伸びに追随して伸びることが好ましく、従って、内側クロッチ部片は、少なくとも上下縁が横方向に伸びる素材であることが好ましい。かつ、内側クロッチ部片の上下縁は、衣料本体のクロッチ部に縫着されず、浮いた状態であることが、衣料本体布の横方向の伸びにより追随できる。一方、内側クロッチ部片は、縦方向には伸びを有しない方が、クロッチ部分が変形することなく安定するので好ましいのである。
【００８７】
なお、引裂き強度を測定する場合には、次の方法で測定する。図２９と図３０は引裂き強度の測定法を説明するための説明図である。
【００８８】
図２９（ａ）が引裂き強度を測定するための試験片の平面図、図２９（ｂ）が引裂き強度測定器にセットする試験片の状態を説明するための斜視図である。図３０は引裂き強度測定器で記録される測定試験片の荷重（ｃＮ）と伸度（％）との関係を示すグラフである。
【００８９】
図２９（ａ）に示すように縦（それぞれＡ−Ｂ、Ｄ−Ｃ）１３ｃｍ、横（それぞれＡ−Ｄ、Ｂ−Ｃ）５ｃｍの試験片２００を編方向が矢印２０１で示される様な態様で３枚採取する。２０１ａが編始め側、２０１ｂが編終り側である。尚、先にその他の部分の寸法を説明しておくと、Ｅ−Ｂ、Ｇ−Ｃ、Ｆ−Ｌはそれぞれ８ｃｍ、Ｅ−Ｈ、Ｇ−Ｋ、Ｆ−Ｊはそれぞれ５ｃｍ、Ｈ−Ｂ、Ｋ−Ｃ、Ｊ−Ｌはそれぞれ３ｃｍ、Ｅ−Ｆ、Ｆ−Ｇ、Ｈ−Ｊ、Ｊ−Ｋ、Ｂ−Ｌ、Ｌ−Ｃはそれぞれ２．５ｃｍである。
【００９０】
この縦１３ｃｍ、横５ｃｍの試験片に編終り側２０１ｂ（Ｂ−Ｃライン）の中点Ｌから縦方向にＥ−Ｇの中点Ｆまで切り込み（Ｌ−Ｆ）を入れる。次に図２９（ｂ）に示すように、この切り込みＬ−Ｆを境にして、Ｅ−Ｂ−Ｌ−Ｆ部分２０３ａが下方に、Ｆ−Ｌ−Ｃ−Ｇ部分２０３ｂが上方になるようにし、引裂き強度測定器として定速伸長型引張試験機（島津製作所製、“オートグラフ  ＡＧ−１ｋＮＤ”）を用い、その上下のチャックにそれぞれ上つかみ部分（Ｌ−Ｊ−Ｋ−Ｃ）２０２ｂ、と下つかみ部分（Ｈ−Ｂ−Ｌ−Ｊ）２０２ａをセットする。従って、試験片のつかみ間隔（２０３ａのＪ−Ｆの長さと２０３ｂのＦ−Ｊの長さの合計）を１０ｃｍとして引裂き強度測定器に試験片が取り付けられる。
【００９１】
引裂き強度測定器の上下のチャックを３０±２ｃｍ／分の速度で操作し（この装置では下側のチャックは固定し、上側のチャックを上方に３０±２ｃｍ／分の速度で動かした。）、図３０に示すような引裂きの荷重―伸び曲線を得る。引裂きの荷重―伸び曲線における「伸び（％）」とは、測定により上下のチャック間が開いていくが、上下のチャック間の距離をａｃｍとすると［（ａ−１０）／１０］×１００（％）を意味する。言い換えれば試料が引裂かれることにより上下のチャック間が開いていくが、１０ｃｍを基準にして、１０ｃｍに対し何ｃｍ更に開いたかを％で示したものである。
【００９２】
図３０の例示モデルグラフで説明すると、図３０に示すように、得られる引裂きの荷重―伸び曲線において、仮にピークａ〜ｐまでの複数のピークが描かれたと仮定する。最初のピークａと最後のピークｐ以外のピークの中で荷重（ｃＮ）の値が最も低いピークから順に合計３個のピーク、図３０の例ではピークｃ、ｉ、ｎのそれぞれのピークの荷重（ｃＮ）を読み取り、その平均値Ｘ（ｃＮ）を算出する。３個の試験片のうち前記平均値Ｘ（ｃＮ）の最も小さい値を、引裂き強度の最小値、前記平均値Ｘ（ｃＮ）の最も大きい値を、引裂き強度の最大値とする。
【００９３】
引裂き強度が大きいか小さいかを他のサンプルと比較したい場合には、目的とするサンプルの引裂き強度の前記最小値及び最大値のうちのいずれか少なくとも一つが、比較すべき他のサンプルの対応する引裂き強度の最小値または最大値と比べて大きければ、当該目的サンプルの引裂き強度が比較すべき他のサンプルの引裂き強度より大きいと判定する。
【００９４】
言い換えれば、目的サンプルの引裂き強度の最小値をａ（単位省略、以下同様）、最大値をｂ、比較すべき他のサンプルの最小値をｃ、最大値をｄとすると、
（１）ａ＞ｃを少なくとも満足する場合。
【００９５】
（２）ｂ＞ｄを少なくとも満足する場合。
のいずれかを満足すれば、目的サンプルの引裂き強度が比較すべき他のサンプルの引裂き強度より大きいと判定する。
【００９６】
好ましくは、上記（１）と（２）を同時に満足することが好ましく、最も好ましくはａ＞ｄを満足するものが目的サンプルの引裂き強度が比較すべき他のサンプルの引裂き強度よりより十分に大きいと判定できる。
【実施例１】
【００９７】
図１３は本発明の裁断されたままの状態で縁始末不要な縁を有する衣料の一実施の形態例のショーツの正面図、図１４は図１３に示したショーツの背面図、図１５は図１３、図１４に示したショーツを形成するための単層で１枚の連続した部片（Ｐ）１８の裁断ラインを編地上に示した平面図である。
【００９８】
図１３〜図１５において、１８がショーツ本体を形成するための単層の１枚の連続した部片（Ｐ）である。図１５を参照して、およその区分けをすると、１３が前部充当部、１４がクロッチ部充当部、１５が後部充当部であり、ショーツ本体は、図１５におけるＡ−ＢラインとＤ−Ｃラインとが縫合され、Ｈ−ＧラインとＥ−Ｆラインとが縫合されて形成されている。即ち左右脇部のみが縫着されて衣料が形成されている。そして、ショーツ本体の内側に、Ｑ−Ｒ−Ｓ−Ｔで示した主たる伸縮方向がショーツのほぼ横方向となる様に縦方向には伸縮しにくい別布からなる内側クロッチ部片１９を内側クロッチ部片１９の左右両側縁のＱ、Ｒ、Ｓ、Ｔの各端部近傍と、ほぼ中間部分のＸ、Ｙの６箇所をそれぞれ左右両側縁に沿って１箇所に付き長さ約１ｃｍほど縫着した。内側クロッチ部片１９の生地としては綿糸とナイロン糸からなる編方向と直角方向に伸びを有するトリコットをを主たる伸縮方向がショーツのほぼ横方向となる様に用いた。尚、内側クロッチ部片１９の素材としては特にこの素材のみに限定されるものではない。
【００９９】
部片（Ｐ）の編方向は、矢印２０の方向であり、単層で１枚の連続した部片（Ｐ）の編方向が、衣料のほぼ横方向となる様に前記部片（Ｐ）が裁断されて用いられている。そして前側のウェストライン１１、後側のウェストライン１２は、いずれも凹状の曲線状に裁断されており、裁断されたままで縁始末不要な縁（以下、フリーカット縁と略称する）を形成している。
【０１００】
前裾ライン１６とクロッチ部の縁のラインも凹状の曲線状に裁断されておりフリーカット縁を形成している。後裾ライン１７（Ｃ−Ｈ及びＦ−Ｊ）は、若干凸状の曲線ラインの形状をしているが、ほぼ直線状とみなして、編方向の矢印２０と平行な直線（図示せず）に対する後裾ライン１７（Ｃ−Ｈ及びＦ−Ｊ）の裁断角度は、約±４０度であり、後裾ライン１７もフリーカット縁を形成している。
【０１０１】
前記部片（Ｐ）１８は、図１（図１１）で示したような非弾性糸がプレーンコード組織、弾性糸が前記非弾性糸と同行するデンビ組織であり、非弾性糸と前記弾性糸の両方が閉じ目である伸縮性経編地からなり、非弾性糸として３３ｄｔｅｘのナイロン糸、弾性糸として４４ｄｔｅｘのポリウレタン糸（使用比率：ナイロン糸７７重量％、ポリウレタン糸２３重量％）を用いたものである。
【０１０２】
前記部片（Ｐ）１８は、１インチ（２．５４ｃｍ）当たり８０ウェールの編み密度で編成されている。前及び後裾ラインと、前及び後ウェストラインとは、非平行となっていて縁ラインの形状も異なっている。
【０１０３】
このショーツは、ウェスト、裾、及びクロッチ部の縁の衣料縁部を全て裁断したままで縁部始末を行っていないフリーカット縁部とすることができ、１枚の連続した段差のない部片（Ｐ）１８でショーツを形成しているため、縫製箇所が極めて少なく、段差の少ない表面がフラットなショーツとすることができる。特に縁部の段差をなくすことができ、段差がアウターウェアーに反映して凸条に見えることが防止できる。本ショーツは、後身頃（後部充当部１５）、クロッチ充当部１４、前見頃（前部充当部１３）が単層で連続した１枚の部片を左右脇側のみで縫合することによって形成されている。つまり、クロッチの前部や後部においても縫合箇所がない。よって、段差の極めて少ないショーツとなっている。特に、段差によるアウターへの響きが気になる後見頃（後部充当部１５）とクロッチとの縫合箇所がないことが特徴である。
【０１０４】
本ショーツは、着用時に横方向にかなり伸びる性質を有するが、内側クロッチ部片１９は前述した様に衣料本体のクロッチ充当部１４と部分的に複数箇所で逢着されていて、内側クロッチ部片１９の上縁と下縁（上縁と下縁の両脇部を除く）が、衣料本体のクロッチ充当部に縫着されずに浮いた状態となっており、且つ衣料の横方向には伸縮性を有する素材を用いているので、内側クロッチ部片１９の上縁、下縁は衣料本体布の伸びに追随して伸びることができる。
【０１０５】
また、ウェストライン、裾及びクロッチ部の縁が、フリーカット縁であるにもかかわらず、当該部片の引裂き強度（最小値７３１ｃＮ、最大値１０２０ｃＮ）が大きく、裁断したままでもほつれが生じず、かつカーリングすることなく身体に密着し、ずれにくく、ウェストや裾が安定した位置に保持されやすくなり好ましい。
【０１０６】
上述の様に、裾ライン１６、１７やウェストライン１１，１２は、裁断されたままの状態で縁始末不要な縁になっており、縁始末が不要で、またゴムテープなどを用いていないので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。
【０１０７】
尚、実施例１の部片（Ｐ）１８の素材を、図６（図１２）で示したような非弾性糸、弾性糸がともに同行するプレーンコード組織であり、非弾性糸と前記弾性糸の両方が閉じ目である伸縮性経編地を用いてもほぼ同様のショーツが得られた。
【０１０８】
また、上記の実施態様は後裾ライン１７、前裾ライン１６、クロッチ部の左右縁のラインの各形状は、曲線形状となっている態様を示したが、例えばこれらの縁ラインの形状を波形状とすることも可能である。
【実施例２】
【０１０９】
図１６は本発明の裁断されたままの状態で縁始末不要な縁を有し且つ体形補整機能を有する衣料の一実施の形態例のセミロングタイプのガードルの背面側から見た斜視図、図１７は図１６に示したセミロングタイプのガードルの正面側から見た斜視図、図１８は図１６、図１７に示したセミロングタイプのガードルの着用者の左側に相当する前脇−脇−ヒップ部−脚部充当部片２１の裁断ラインを編地２９上に示した平面図及びクロッチ部片の平面図である。
図１６〜図１８において、２１が前脇−脇−ヒップ部−脚部をカバーする前脇−脇−ヒップ部−脚部充当部片であり、ガードルの上下方向に連続し、表面に段差のない単層の１枚の部片となっている。２６は腹部をカバーする腹部充当部片であり、ガードルの上下方向に連続し、表面に段差のない単層の１枚の部片からなっている。左右の前脇−脇−ヒップ部−脚部充当部片２１は、脚部を除いて後中心の縫合ライン２４で相互に縫合されており、前脇−脇―ヒップ部−脚部充当部片２１の前側の側縁は、腹部充当部片２６の側縁と縫合ライン２５で互いに縫合されている。図１６などの背面側から見た斜視図では、どのあたりから脚部なのかわかりにくいので、仮想点線２８を図中に示し、およそ仮想点線２８より下側が脚部であることが分かるようにした。従って、仮想点線２８より上側の縫合ライン２４が後中心の縫合ラインであり、仮想点線２８より下側が左右両足に分かれて形成された脚部である。
図１８において、編地２９中に示されたラインＡ−Ｂ−Ｃ−Ｄ−Ｅ−Ｆ−Ｇ−Ａはこのガードルの脇から後ろ及び脚部に用いられる着用者の左側半分の部片を得るための前脇−脇―ヒップ部−脚部充当部片２１の裁断ラインを示したものである。また、３０はクロッチ部片であり、前脇−脇―ヒップ部−脚部充当部片２１と同じ生地を用いても良いが、異なる生地を用いても良く、クロッチ部片の素材は、従来よりガードルのクロッチ部片に用いられている各種のものが使用できる。衣料縦方向に伸びが少なく、横方向に伸縮性を有する素材が用いられる。クロッチ部片３０は、股部になり図１６、１７では表示されていない。尚、この態様においては、クロッチ部片３０の内側に、図示していないが、クロッチ部片３０とほぼ同形状の内側クロッチ部片が取り付けられている。ここで使用した内側クロッチ部片は実施例１で用いた内側クロッチ部片と同様の素材からなり、内側クロッチ部片の全周囲をガードル本体に縫合して取り付けている。
図示していないが、前脇−脇―ヒップ部−脚部充当部片２１の右側半分の部片の形状は、左側半分の部片の形状と左右線対称となる。Ａ−Ｂラインは図１７の腹部充当部片２６と縫合され、Ｑ−ＣラインはＥ−Ｄラインと縫合されて左脚部を形成し、Ｇ−Ｆラインは図示していない前述した右側半分の部片の同様な部分と縫合されて後中心の縫合ライン２４を形成することになる。クロッチ部片３０のＰ−Ｏラインは腹部充当部片２６の下縁に縫合され、Ｏ−Ｉラインは部片２１のＢ−Ｑラインと縫合され、Ｈ−Ｉラインは部片２１のＦ−Ｅラインと縫合される。図示していない前述した右側半分の部片２１の縫製も左右対象であるので同様である。かくして図１６〜図１７に示したガードルを作成することができる。他の実施の形態例のガードルもほぼ同様な縫製により形成される。
【０１１０】
図１６〜図１８に示したガードルにおいては、前脇−脇―ヒップ部−脚部充当部片２１として、フリーカット縁を有する部片が用いられている。
【０１１１】
前脇−脇−ヒップ部−脚部充当部片２１を構成する経編地の編み方向は、矢印２０（図１８）の矢印が示す方向である。
【０１１２】
前脇−脇−ヒップ部−脚部充当部片２１は、図１で説明したような非弾性糸がプレーンコード組織、弾性糸が前記非弾性糸と同行するデンビ組織であり、非弾性糸と前記弾性糸の両方が閉じ目である伸縮性経編地からなり、非弾性糸として３３ｄｔｅｘのナイロン糸、弾性糸として４４ｄｔｅｘのポリウレタン糸（使用比率：ナイロン糸７７重量％、ポリウレタン糸２３重量％）を用いたものである。部片２１は、１インチ（２．５４ｃｍ）当たり８０ウェールの編み密度で編成されている。この部片の引裂き強度は、最小値７３１ｃＮ、最大値１０２０ｃＮである。
そしてこの実施の形態において、前脇−脇−ヒップ部−脚部充当部片２１のフリーカット縁が、２２の裾ラインの縁と２３のウェストラインの縁の部分を形成している。裾ライン２２は波形になっている。
ウェストライン２３は、下側に向けて若干窪んだ凹曲線に裁断されている。直線状に裁断しても良い。ウェストライン２３の両端を結んだ仮想直線が編み方向２０と平行な直線に対し角αが３５度の角度で裁断されている。実際のウェストライン２３は、下側に若干窪んだ曲線であるため、実際の裁断角度角αは３５度を前後する角度である。裾ライン２２の方向（これを仮に裾ラインの波の頂点を結んだ直線３２とすると、裾ライン２２の方向は、編み方向２０と平行な直線に対し角βが３０度の角度）とウェストライン２３の方向は互いに非平行かつ異なる形状となっている（図１、図２ではわかりにくいので図３参照）。
【０１１３】
尚、腹部充当部片２６も、前記部片２１と同様の編み組織の布で作成されていて、３３ｄｔｅｘのナイロン糸、４４ｄｔｅｘのポリウレタン糸（使用比率：ナイロン糸７７重量％、ポリウレタン糸２３重量％）で編まれ、１インチ（２．５４ｃｍ）当たり８０ウェールの編み密度で編成されている。この部片の引裂き強度は、最小値７３１ｃＮ、最大値１０２０ｃＮである。上側の縁２７はフリーカット縁になっており、下側に向けて若干窪んだ凹曲線となっている。尚、ウェストライン２３は、直線状にしても良い。また、腹部充当部片２６は必要に応じ、他の縁始末の必要な生地を用いても良い。腹部充当部片２６は腹部充当部片２６のウェストラインに該当する上縁２７は、編み方向に平行な直線に対して４０度の角度で裁断されていて、フリーカット縁を形成している。こうすることによって、ウェストと裾の衣料縁部を全てフリーカット縁部とすることができ、かつ上下に連続した段差のない部片でガードルを形成しているため、縫製箇所を少なくし、段差の少ないガードルとできる。特に縁部の段差をなくすことができ、裁断角度を編み方向に対し９０度未満の鋭角にしたり、さらに裁断形状を曲線あるいは波形とすることにより、ウェストラインと裾の縁が、フリーカット縁であるにもかかわらず、引裂き強度が大きく、裁断したままでもほつれが生じず、かつ特定の編組織の経編地を用いているのでカーリングすることなく身体に密着し、ずれにくく、ウェストや裾が安定した位置に保持されやすくなり好ましい。必要に応じ腹部充当部片２６や前脇−脇−ヒップ部−脚部充当部片２１に部分的に用いる弾性糸の太さを太くしたり、或いは更に弾性糸あるいは非弾性糸を編み込み又は挿入し、伸びの少ない部位を設けてもよい。
【０１１４】
上述の様に、裾ライン２２やウェストライン２３は、フリーカット縁になっており、縁始末が不要で、またゴムテープなどを用いていないので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。また、上記裾まわりも同様である。
【０１１５】
尚、実施例２の部片２１、２６の素材を、図６で示したような非弾性糸、弾性糸がともに同行するプレーンコード組織であり、非弾性糸と前記弾性糸の両方が閉じ目である伸縮性経編地を用いてもほぼ同様のセミロングタイプのガードルが得られた。
【実施例３】
【０１１６】
図１９は本発明の裁断されたままの状態で縁始末不要な縁を有し且つ体形補整機能を有する衣料の一実施の形態例のショートタイプのガードルの背面側から見た斜視図、図２０は図１９に示したショートタイプのガードルの正面側から見た斜視図、図２１は図１９、図２０に示したショートタイプのガードルの着用者の左側に相当する前脇−脇−ヒップ部充当部片３５の裁断ラインを編地上に示した平面図である。
【０１１７】
図１９〜図２１において、３５が前脇−脇―背面部をカバーする前脇−脇―ヒップ部充当部片で、上下方向に連続した段差のない単層の１枚の部片からなる。３６は腹部をカバーする腹部充当部片であり、上下方向に連続した段差のない単層の１枚の部片からなる。３７は前中心側裾部片であり、上下方向に連続した段差のない単層の１枚の部片である。左右の前脇−脇―ヒップ部充当部片３５は、後中心の縫合ライン３８で相互に縫合されており、前脇−脇―ヒップ部充当部片３５の前側の側縁は、腹部充当部片３６および前中心側裾部片３７の側縁と縫合ライン３９で互いに縫合されている。
図２１において、編地４０中に示されたラインＭ―Ｎ―Ｏ―Ｐ―Ｑ―Ｍはこのガードルの脇からヒップ部に用いられる着用者の左側半分の部片を得るための前脇−脇―ヒップ部充当部片３５の裁断ラインを示したものである。
【０１１８】
図示していないが、前脇−脇―ヒップ部充当部片３５の右側半分の部片の形状は、左側半分の部片の形状と左右線対称となる。Ｍ−Ｎラインは図２０の腹部充当部片３６および前中心側裾部片３７と縫合され、Ｐ−Ｑラインは図示していない前述した右側半分の部片の同様な部分と縫合されて後中心の縫合ライン３８を形成することになる。Ｏ―Ｐラインは、クロッチ部４１と縫合される。Ｎ−Ｏラインが、裾ラインを形成し、Ｑ−Ｍラインがウェストラインを形成する。図示していない前述した右側半分の部片３５の縫製も左右対象であるので同様である。かくして図１９〜図２０に示したガードルを作成することができる。そしてクロッチ部４１の左右の縁は図示していないがフリーカット縁になっている。尚、クロッチ部４１の内側には、図示していないが、実施例１で説明したのと同様の素材からなる内側クロッチ部片が実施例１で説明したのとほぼ同様の取り付け態様で取り付けられている。
【０１１９】
前脇−脇―ヒップ部充当部片３５および腹部充当部片３６、前中心側裾部片３７、クロッチ部４１はフリーカット縁を有する部片（Ｐ）を用いている。前脇−脇―ヒップ部充当部片３５を構成する経編地の編み方向は、矢印２０の示す方向である。
【０１２０】
前脇−脇―ヒップ部充当部片３５は、図１で説明したような非弾性糸がプレーンコード組織、弾性糸が前記非弾性糸と同行するデンビ組織であり、非弾性糸と前記弾性糸の両方が閉じ目である伸縮性経編地からなり、非弾性糸として３３ｄｔｅｘのナイロン糸、弾性糸として４４ｄｔｅｘのポリウレタン糸（使用比率：ナイロン糸７７重量％、ポリウレタン糸２３重量％）を用いたものである。この部片の引裂き強度は、最小値７３１ｃＮ、最大値１０２０ｃＮであった。
【０１２１】
前脇−脇―ヒップ部充当部片３５は、１インチ（２．５４ｃｍ）当たり８０ウェールの編み密度で編成されている。この部片の引裂き強度は、最小値７３１ｃＮ、最大値１０２０ｃＮであった。そして前脇−脇―ヒップ部充当部片３５の４２の裾ラインの縁と４３のウェストラインの縁の部分がフリーカット縁とされている。裾ライン４２は波形になっており、ウェストライン２３は、編み方向２０と平行な直線に対し角αが約４０度の角度（裁断角度）で裁断されている。ウェストライン４３は、下方向に若干湾曲した曲線であるため、湾曲部分は４０度を前後する角度で裁断されている。いずれにしても、裾ライン４２の方向（これを仮に裾ラインの波の頂点を結んだ直線３２とすると、裾ライン４２の方向は、編み方向２０と平行な直線に対し５度の角度）とウェストライン２３は、非平行かつ異なる形状となっている。
【０１２２】
ウェストライン２３は、下方向に若干湾曲した凹状の曲線であり、ウェストラインの両端のＱとＭを結ぶ仮想直線が、当該編地の編み方向１４に対し、４０度の角度（裁断角度）で裁断された縁である。ウェストライン４３は、衣類下方向に若干湾曲した凹状の曲線であるので、実際の裁断角度は、４０度を前後する角度となる。つまり、上側の縁であるウェストライン４３と、下側の縁である裾ライン４３の方向は、非平行となっている。
【０１２３】
腹部充当部片３６の上側の縁４４は前述したように、フリーカット縁としている。腹部充当部片３６も、前記部片３５と同様の編み組織の布で作成されていて、３３ｄｔｅｘのナイロン糸、４４ｄｔｅｘのポリウレタン糸（使用比率：ナイロン糸７７重量％、ポリウレタン糸２３重量％）を用い、１インチ（２．５４ｃｍ）当たり８０ウェールの編み密度で編まれている。この部片の引裂き強度は、最小値７３１ｃＮ、最大値１０２０ｃＮである。上側の縁４４は編み方向に対し、４５度の角度で裁断されている。前中心側裾部片３７も前記部片３５と同様の編み組織の布で作成されていて、３３ｄｔｅｘのナイロン糸、４４ｄｔｅｘのポリウレタン糸（使用比率：ナイロン糸７７重量％、ポリウレタン糸２３重量％）で編まれ、１インチ（２．５４ｃｍ）当たり８０ウェールの編み密度で編まれている。この部片の引裂き強度は、最小値７３１ｃＮ、最大値１０２０ｃＮである。前中心側裾部片３７の裾ライン４５はフリーカット縁になっており、編み方向に対して約２５度で裁断している。また裾ライン４５は、凹状に窪む湾曲した曲線となっている、湾曲部分はおよそ２５度を前後する角度で裁断されている。尚、裾ライン４５を直線ラインとしても良い。また、裾ライン４５の縁部を、従来の抜き糸を編み込んでその糸を引き抜く方法で得られた縁始末不要な縁が形成されている編み物を用いてもよい。
【０１２４】
このショートタイプのガードルは、ウェストと裾の衣料縁部が全て裁断したままで縁部始末を行っていない縁部で形成されており、かつ上下に連続した段差のない部片３５を用いることによりガードルを形成しているため、縫製箇所を少なくし、段差の少ない表面がフラットなガードルとすることができる。特に縁部の段差をなくすことができ、裁断角度を編み方向に対し９０度未満の鋭角にしたり、或いは、裁断縁の形状を曲線あるいは波形とすることにより、ウェストラインと裾の縁が、フリーカット縁であるにもかかわらず、引裂き強度が大きく、裁断したままでもほつれが生じず、かつカーリングすることなく身体に密着し、ずれにくく、ウェストや裾が安定した位置に保持されやすくなり好ましい。
【０１２５】
上述の様に、裾ライン４２、４５やウェストライン４３は、フリーカット縁になっており、縁始末が不要で、またゴムテープなどを用いていないので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。また、上記裾まわりも同様である。
【０１２６】
尚、実施例３の部片３５、３６、３７の素材を、図６で示したような非弾性糸、弾性糸がともに同行するプレーンコード組織であり、非弾性糸と前記弾性糸の両方が閉じ目である伸縮性経編地を用いてもほぼ同様のショートタイプのガードルが得られた。
【実施例４】
【０１２７】
図２２は本発明の裁断されたままの状態で縁始末不要な縁を有する衣料の一実施の形態例のショーツの背面図、図２３は図２２に示したショーツの正面図、図２４は図２２、図２３に示したショーツの着用者の左側に相当する前脇腹−脇−ヒップ部充当部片５５の裁断ラインを編地上に示した平面図である。
【０１２８】
図２２〜図２４において、５５が前脇腹−脇―背面部をカバーする前脇腹−脇―ヒップ部充当部片で、上下方向に連続した段差のない１枚の部片である。５６は腹部と股部をカバーする腹部−クロッチ部充当部片であり、上下方向に連続した段差のない１枚の部片からなる。左右の前脇腹−脇―ヒップ部充当部片５５は、後中心の縫合ライン５８で相互に縫合されており、前脇腹−脇―ヒップ部充当部片５５の前側の側縁は、腹部−クロッチ部充当部片５６の側縁の一部と縫合ライン５９で互いに縫合されている。つまり本ショーツは、３枚の部片から形成されている。
図２４において、編地５０中に示されたラインＭ―Ｎ―Ｒ―Ｏ―Ｐ―Ｑ―Ｍはこのショーツの脇からヒップ部に用いられる着用者の左側半分の部片を得るための前脇腹−脇―ヒップ部充当部片５５の裁断ラインを示したものである。
【０１２９】
図示していないが、前脇腹−脇―ヒップ部充当部片５５の右側半分の部片の形状は、左側半分の部片の形状と左右線対称となる。Ｍ−Ｎラインは図２３の腹部−クロッチ部充当部片５６の一部と縫合され、Ｐ−Ｑラインは図示していない前述した右側半分の部片の同様な部分と縫合されて後中心の縫合ライン５８を形成することになる。Ｏ―Ｐラインは、腹部−クロッチ部充当部片５６のクロッチ後部６１と縫合される。Ｎ―Ｒ−Ｏラインが、裾ラインを形成し（Ｎ―Ｒ−ＯラインのうちＮ−Ｒラインが前裾ライン６４、Ｒ−Ｏラインが後裾ライン６２）、Ｑ−Ｍラインがウェストライン６３を形成する。図示していない前述した右側半分の部片５５の縫製も左右対象であるので同様である。かくして図２２〜図２３に示したショーツを作成することができる。
【０１３０】
前脇腹−脇―ヒップ部充当部片５５および腹部−クロッチ部充当部片５６はフリーカット縁を有する部片（Ｐ）を用いている。従って、腹部−クロッチ部充当部片５６のクロッチ部に相当する部分の左右の脇側の縁６０ａ、６０ｂはともにフリーカット縁となっている。
【０１３１】
前脇腹−脇―ヒップ部充当部片５５を構成する経編地の編み方向は、矢印５７の方向である。
【０１３２】
前脇腹−脇―ヒップ部充当部片５５および腹部−クロッチ部充当部片５６は、図１で説明したような非弾性糸がプレーンコード組織、弾性糸が前記非弾性糸と同行するデンビ組織であり、非弾性糸と前記弾性糸の両方が閉じ目である伸縮性経編地からなり、非弾性糸として３３ｄｔｅｘのナイロン糸、弾性糸として４４ｄｔｅｘのポリウレタン糸（使用比率：ナイロン糸７７重量％、ポリウレタン糸２３重量％）を用い、１インチ（２．５４ｃｍ）当たり８０ウェールの編み密度で編まれている。この部片の引裂き強度は、最小値７３１ｃＮ、最大値１０２０ｃＮである。
【０１３３】
そして前脇腹−脇―ヒップ部充当部片５５の、６４の前裾と６２の後裾ラインの縁及び６３のウェストラインの縁の部分は、フリーカット縁となっている。後裾ライン６２は波形になっており、前裾ライン６４（Ｎ−Ｒ）は図１９に示したように、若干凹状の不規則な形状の曲線状になっている。ウェストライン６３は、編み方向５７の方向と平行な直線５４に対し角αが３度の角度（裁断角度）で裁断されている。従って後裾ライン６２の方向（これを仮に裾ラインの波の頂点を結んだ直線５２とすると、裾ライン６２の方向は、編み方向５７と平行な直線に対し−５度の角度）とウェストライン６３は、非平行となっているし、形状も異なっている。また、前裾ライン６４（Ｎ−Ｒ）は凹状（この図において上方に凸に湾曲）の曲線状になっている。前裾ライン６４（Ｎ−Ｒ）の方向（これを仮に前裾ラインの端部ＮとＲを結んだ直線とすると）は、前裾ライン６４の方向は、後裾ライン６２の方向とほぼ同様に編み方向５７と平行な直線に対し−５度の角度となっており、前裾ライン６４の方向とウェストライン６３は、非平行となっているし、形状も異なっている。
【０１３４】
腹部−クロッチ部充当部片５６の上側の縁６５は前述したように、フリーカット縁になっている。編地としては、上記前脇腹−脇―ヒップ部充当部片５５と同一の編地を用いた。
【０１３５】
腹部−クロッチ部充当部片５６は、編方向や裁断縁の方向を図示していないが、腹部−クロッチ部充当部片５６の上側の縁６５が編方向に対し４５度の角度となるように裁断して用いた。
【０１３６】
尚、腹部−クロッチ部充当部片５６のクロッチ部に相当する部分の内側には、図示していないが、実施例１で説明したのと同様の素材からなる内側クロッチ部片が実施例１で説明した態様とほぼ同様の取り付け態様で取り付けられている。
【０１３７】
かくして本ショーツにおいて、ウェストと裾の衣料縁部を全てフリーカット縁部とすることができ、かつ上下に連続した段差のない部片でショーツを形成しているため、縫製箇所を少なし、段差の少ない表面がフラットなショーツとすることができる。特に縁部の段差をなくすことができ、裁断角度を編み方向に対し９０度未満の鋭角としたり、或いは、裁断形状を曲線あるいは波形とすることにより、ウェストラインと裾の縁が、フリーカット縁であるにもかかわらず、引裂き強度大きく、裁断したままでもほつれが生じず、かつカーリングすることなく身体に密着し、ずれにくく、ウェストや裾が安定した位置に保持されやすくなり好ましい。
【０１３８】
上述の様に、裾ライン６２、６４やウェストライン６３は、フリーカット縁部になっており、縁始末が不要で、またゴムテープなどを用いていないので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。また、上記裾まわりも同様である。
【０１３９】
尚、実施例４の部片５５、５６の素材を、図６で示したような非弾性糸、弾性糸がともに同行するプレーンコード組織であり、非弾性糸と前記弾性糸の両方が閉じ目である伸縮性経編地を用いてもほぼ同様のショーツが得られた。
【実施例５】
【０１４０】
図２５は本発明の裁断されたままの状態で縁始末不要な縁を有する衣料の一実施の形態例のブラジャーの主要部分の斜視図である。図２５において、７６が伸縮性のバック布、８１が着用時に左右のバック布を連結するための連結部、７９が乳房カップ、８４が左右の乳房カップを連結している前中心布、８０がストラップである。伸縮性のバック布７６は、フリーカット縁を有する部片（Ｐ）で、かつ上下方向に連続した１枚の部片を積層して形成されている。この部片を構成する経編地の編み方向は矢印２０の示す方向である。編み方向が、バック布の幅の細い方から幅の太い方に向かう方向とすれば、編み始め側で裁断することができるため、ほつれがより生じにくい。尚、図示していないが着用者の右側にあてがわれるバック布の編み方向は２０の矢印とは反対向きの方向になる。つまり、編み方向が、バック布の幅の細い方から幅の太い方に向かう方向となっている。
【０１４１】
バック布７６部片については、図１で説明したような非弾性糸がプレーンコード組織、弾性糸が前記非弾性糸と同行するデンビ組織であり、非弾性糸と前記弾性糸の両方が閉じ目である伸縮性経編地からなり、非弾性糸として３３ｄｔｅｘのナイロン糸、弾性糸として４４ｄｔｅｘのポリウレタン糸（使用比率：ナイロン糸７７重量％、ポリウレタン糸２３重量％）を用い、１インチ（２．５４ｃｍ）当たり８０ウェールの編み密度（この編地の引裂き強度は、単層（１枚）で最小値７３１ｃＮ、最大値１０２０ｃＮである。）で編まれている編地２枚を粉末状熱接着タイプ樹脂接着剤を用いて点状に接着積層したものを用いた。
【０１４２】
そして前記バック布７６のフリーカット縁部は、バック布の下側の縁７８と上側の縁７７の部分である。下側の縁７８と上側の縁７７はいずれも波形状になっている。波形状は、上側の縁７７と下側の縁７８で凹凸がほぼ同間隔、ほぼ同高さ、凹凸のいずれかの同じ方が上下でほぼ同箇所に現れる、すなわち上側の縁７７が上向きの凸状であれば、下側の縁７８は下向きの凸状、上側の縁７７が下向きの凹状であれば、下側の縁７８は上向きの凹状と、下側の縁７８と上側の縁７７が、バック布の上下方向を二分する中心ラインを基準にほぼ線対称の、波形状となっている。尚、本実施例は、バック布７６がカップ部に連結し、土台布の無いブラジャーとなっている。土台布のあるブラジャーで、バック布と土台布が連続した布からなる場合は、土台部以外のバック部において、バック布の上下方向を二分する中心ラインを基準にほぼ左右対称の、波形状であれば良い。
【０１４３】
バック布あるいは土台布の上下の縁始末不要な縁は、波形に限られず、直線状でも、波形以外の曲線状でもかまわない。また波形は、均等な波形でも、不均等な波形でもよい。また、上側の縁と下側の縁の形状が同じでも、形状が異なってもよい。また、強いてバック布７６の下側の縁７８の縁ラインの方向を当該波形の各頂点を結ぶ直線と同じ方向、すなわち矢印８２で示された方向と仮定すると、編み方向２０と平行な直線に対し６度の角度がつけられていることになる。上側の縁７７の縁ラインの方向も、当該波形の各頂点を結ぶ直線と同じ方向、すなわち矢印８３で示された方向と仮定すると、編み方向２０と平行な直線に対し−６度の角度がつけらている。すなわち、バック布の上下の裁断されたままの状態で縁始末不要な縁を構成するラインは、相互に非平行とされている。尚、縁ラインが波形状となっているため、波形状箇所は、現実にはそれぞれ±６度を越えた角度で裁断されている。波形状に裁断されていることで、当該縁部のほつれもより生じにくく、また、カールも生じにくい。尚、バック布は一番広い箇所で幅９ｃｍ、細い箇所で幅４ｃｍとした。
【０１４４】
なお、上記の実施態様例では、バック布の上下の縁の方向は、編み方向２０と平行な直線に対しそれぞれ±６度の方向で裁断されているが、±９０度に近い角度、即ち±９０度未満〜±８４度の方向で裁断されていることも好ましい。
【０１４５】
従来のブラジャーのバック布においては、バック布７６の上下の縁に沿ってゴムテープが設けられていたが、本実施の形態例のブラジャーのバック布７６の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、フリーカット縁であるにもかかわらず、引裂き強度大きく、裁断したままでもほつれが生じず、かつ縁部がカーリングすることなく、バック布が身体にフィットして、運動時に生じるずれも最小限に防止し、着崩れも防止される。
【０１４６】
バック布としては、前記部片の布１枚（単層）でも、バック布を形成することは可能であるが、本実施の形態例では、２枚の同形状の同じ部片を樹脂接着して使用した。２枚の部片を樹脂接着する際は、２枚の部片の編み方向が同じとなる様に重ねて接着すると、しわなどが生じにくく、好ましい。また、上下方向に連続した布２枚をあらかじめ積層した後、バック布部片の形状に裁断すると、縁部が綺麗である。バック布がこのように編地２枚が積層されて形成された場合でも、２枚の編地は積層されて一体となっており、バック布は、上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、単層の１枚物でも、裁断縁部がほつれの生じない布であり、かつ波形状に裁断しているため、より一層縁部ほつれが防止され、上下縁部の裁ち端が綺麗で、糸が突出することがない。
【０１４７】
また、前中心布８４は、バック布７６と同一の編組織の素材を２枚を全面で同様に接着積層した部片で形成した。前中心布８４の下縁８５の形状は、凹状の曲線、即ち言い換えればこの図２５の上下方向を基準にすれば、上方に凸に湾曲した曲線に裁断され、裁断したままのフリーカット縁を有している。尚、必要に応じて、マーキゼット編物、その他の非伸縮性素材を更に積層しておくと、ブラジャーの前中心が安定して好ましい。
【０１４８】
尚、実施例５のバック布７６の素材を、図６で示したような非弾性糸、弾性糸がともに同行するプレーンコード組織であり、非弾性糸と前記弾性糸の両方が閉じ目である伸縮性経編地を用いてもほぼ同様のバック布を有するブラジャーが得られた。
【実施例６】
【０１４９】
図２６は本発明の裁断されたままの状態で縁始末不要な縁を有する衣料の一実施の形態例のブラジャーの主要部分の斜視図である。図２７は図２６に示したブラジャーの着用者の左側に相当するバック布部片９５の裁断ラインを編地上に示した平面図である。図２６において、９５が伸縮性のバック布、９８が土台部、９９が前中心部であり、１０２が着用時に左右のバック布を連結するための連結部、１００が乳房カップ、１０１がストラップ、１０３は左右の前中心部の縫合箇所である。バック布部と土台部と前中心部は、連続した１枚の布から形成されている。伸縮性のバック布９５は、フリーカット縁部を有する部片（Ｐ）からなり、かつ上下方向に連続した布で形成されている。この部片を構成する経編地の編み方向は矢印１０６（図２７参照）の示す方向である。
【０１５０】
バック布部片９５は、バック布の引裂き強度を更に向上させるため、土台部９８、前中心部９９も含めてバック布を形成する同一の部片２枚を編地の編み方向が同じとなる様に重ねて粉末状の熱接着性樹脂で点接着して積層した部片を用いた。
【０１５１】
土台部９８、前中心部９９も含めてバック布を形成する部片９５については、図１で説明したような非弾性糸がプレーンコード組織、弾性糸が前記非弾性糸と同行するデンビ組織であり、非弾性糸と前記弾性糸の両方が閉じ目である伸縮性経編地からなり、非弾性糸として３３ｄｔｅｘのナイロン糸、弾性糸として４４ｄｔｅｘのポリウレタン糸（使用比率：ナイロン糸７７重量％、ポリウレタン糸２３重量％）を用い、１インチ（２．５４ｃｍ）当たり８０ウェールの編密度で編まれている編地２枚を、前述したように接着積層してから、図２７の９５で示されるバック布の形状に裁断してバック布部片として用いた。この編地の引裂き強度は、単層（１枚）で最小値７３１ｃＮ、最大値１０２０ｃＮである。
【０１５２】
そして前記バック布９５のフリーカット縁部は、バック布の下側の縁（「下縁」と略称する）９７と上側の縁９６（「上縁」と略称する）の部分である。下縁９７と上縁９６はいずれも波形状になっている。
【０１５３】
バック布の上縁９６と下縁９７において、波形状の凹凸はほぼ同間隔で現れ、上縁９６の波形状のうち、上方に凸形状の位置に対応する下の位置の下縁９７の波形状は下方に凸形状となっており、逆に、上縁の波形状が下方に凸形状(上方には凹形状) の位置に対応する下の位置の下縁９７の波形状は上方に凸形状(下方に凹形状)となり、バック布を上下に分割する線を対称にして、バック布の上縁と下縁の凹凸が、上下でほぼ対称形状となっている。また、バック布において形成される波形状の各々の波の曲線形状がゆるやかな曲線（曲率半径の大きい曲線）で、波形状の高低差が小さいいゆるやかな波形状となっている。言いかえるならば、えんどう豆のさやの様な形状となっている。波形状が高低差の少ないゆるやかな波形状とすることによって、バック布の身体へのフィット性を向上させ、更に上下縁部のめくれを防止でき、また特に波形状の谷部分からの引裂きが生じやすくなることをより一層防止することが出来る。
【０１５４】
また、バック布９５の上緑９６は、個々の波形状による凹凸を無視した場合に、全体的に下方に突出したゆるやかな曲線であり、そのゆるやかな曲線部に、ゆるやかな波の曲線部がある形状であり、バック布９５の下緑９７は、個々の波形状による凹凸を無視した場合に、全体的に上方に突出したゆるやかな曲線であり、そのゆるやかな曲線部に、ゆるやかな４つの波の曲線部がある形状となっている。
【０１５５】
従って、バック布９５の下側の縁９７の縁ラインの方向は全体として曲線状であるので、強いてバック布の下縁９７の方向を、バック布の下縁９７の乳房カップ側に近い方の端と連結部１０２側に近い方の端を結ぶ直線と同じ方向、すなわち矢印１０５で示された方向と仮定すると、編み方向１０６と平行な直線に対して−８５度の角度（裁断角度）がつけられている。上側の縁９６の縁ラインの方向は、当該波形の各頂点を結ぶ直線と同じ方向、すなわち矢印１０４で示された方向と仮定すると、編み方向１０６と平行な直線に対して＋７５度の角度がつけらている。すなわち、バック布の上下の裁断されたままの状態で縁始末不要な縁を構成するラインは、相互に非平行とされていると言える。尚、縁ラインが波形状となっているため、現実には下側の縁９７の縁ラインの波形状箇所は、前述したように−８５度を前後する角度で、上側の縁９６の縁ラインの波形状箇所は、＋７５度を前後する角度で、裁断されている。土台部９８や前中心部９９は、編み方向に対し、ほぼ＋７５度の角度で裁断されている。バック布の上下の裁断されたままの状態で縁始末不要な縁を構成するラインが波形状に裁断されていることで、当該縁部のほつれもより生じにくく、また、カールも生じにくい。なお、上記の実施態様例では、バック布の下側の縁９７の縁ラインの波形状箇所は、−８５度を前後する角度で、上側の縁９６の縁ラインの波形状箇所は、＋７５度を前後する角度で、裁断されているが、編み方向１０６と平行な直線に対し、ほぼ平行に近い角度、例えば０度より大きく±６度などの範囲の方向で裁断されていることも好ましい。
【０１５６】
１１３は、ストラップ取り付け箇所であり、先端にストラップ１０１が取付けられる。ストラップ取り付け箇所１１３は、バック布９５と連続しており、バック布と一体に裁断されている。縁部は、フリーカット縁部である。尚、バック布９５は一番広い箇所で幅９ｃｍ、細い箇所で幅４ｃｍとした。また、前中心部９９に、必要に応じて、マーキゼット編物、その他の非伸縮性素材を更に積層しておくと、ブラジャーの前中心が安定して好ましい。
【０１５７】
従来のブラジャーのバック布においては、バック布９５の上下の縁に沿ってゴムテープが設けられていたが、本実施例のブラジャーのバック布９５の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、従って、フリーカット縁であるにもかかわらず、引裂き強度大きく、裁断したままでもほつれが生じず、かつ縁部がカーリングすることなく、バック布が身体にフィットして、運動時に生じるずれも最小限に防止し、着崩れも防止される。またバック布の縁部がめくれてしまうことも有効に防止できる。
【０１５８】
バック布としては、前記部片の布１枚（単層）でも、バック布を形成することは可能であるが、本実施の形態例では、バック布は前記編地が２枚積層されているので、引裂き強度が一層大きく、バック布の上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、裁断縁部がほつれの生じない布であり、かつ波形状に裁断しているため、縁部ほつれの生じることなく、上下縁部の裁ち端が綺麗で、糸が突出することがない。
【０１５９】
尚、実施例６のバック布９５の素材を、図６で示したような非弾性糸、弾性糸がともに同行するプレーンコード組織であり、非弾性糸と前記弾性糸の両方が閉じ目である伸縮性経編地を用いてもほぼ同様のバック布を有するブラジャーが得られた。
【実施例７】
【０１６０】
図２８は本発明の裁断されたままの状態で縁始末不要な縁を有する衣料の一実施の形態例のブラジャーの主要部分の斜視図である。図２６に示したようなブラジャーの着用者の左側に相当するバック布部片の裁断ラインを編地上に示した平面図（図２７）は本実施例では省略している。バック布部片の形はやや異なるが、ほぼ同様な編方向と縁ラインの方向を有している。
図２８において、１３０が乳房カップ、１２５が伸縮性のバック布、１２９が左右の乳房カップを連結している前中心布、１３２が着用時に左右のバック布を連結するための連結部、１３１がストラップである。伸縮性のバック布１２５は、フリーカット縁部を有する部片からなり、かつ上下方向に連続した布で形成されている。この部片を構成する経編地の編み方向は矢印１３６の示す方向である。
【０１６１】
前中心布１２９もフリーカット縁部を有する部片からなり前中心布１２９の下縁の形状は、若干凹状の曲線、即ち言い換えればこの図２５の上下方向を基準にすれば、上方に凸に湾曲した曲線に裁断され、裁断したままのフリーカット縁を有している。
【０１６２】
バック布部片１２５は、バック布の引裂き強度を更に向上させるため、バック布を形成する同一の部片２枚を編地の編み方向が同じとなる様に重ねて粉末状の熱接着性樹脂で点接着して積層した部片を用いた。前中心布１２９も前中心布を形成する同一の部片２枚を編地の編み方向が同じとなる様に重ねて粉末状の熱接着性樹脂で点接着して積層した部片を用いた。尚、前中心布においては、必要に応じて、マーキゼット編物、その他の非伸縮性素材を更に積層しておくと、ブラジャーの前中心が安定して好ましい。
【０１６３】
バック布を形成する部片１２５については、図１で説明したような非弾性糸がプレーンコード組織、弾性糸が前記非弾性糸と同行するデンビ組織であり、非弾性糸と前記弾性糸の両方が閉じ目である伸縮性経編地からなり、非弾性糸として３３ｄｔｅｘのナイロン糸、弾性糸として４４ｄｔｅｘのポリウレタン糸（使用比率：ナイロン糸７７重量％、ポリウレタン糸２３重量％）を用い、１インチ（２．５４ｃｍ）当たり８０ウェールの編密度で編まれている編地２枚を、前述したように接着積層してから、所定のバック布１２５の形状に裁断してバック布部片として用いた。前中心布１２９も同様である。これらの部片の引裂き強度は、単層（１枚）で最小値７３１ｃＮ、最大値１０２０ｃＮである。
【０１６４】
そして前記バック布１２５のフリーカット縁部は、バック布の下側の縁（「下縁」と略称する）１２７と上側の縁１２６（「上縁」と略称する）の部分である。下縁１２７と上縁１２６はいずれも波形状になっている。
【０１６５】
本実施の形態例においては、バック布の上縁１２６の波形状と下縁１２７の波形状が異なっている。上縁１２６の波形は、上方に凸形状の部分が３個あり、下縁１２７の波形状は下方に凸形状の部分が５個あり、波の数が異なっている。本実施例では、上縁１２６の波の数が下縁１２７の波の数より少なくなっているが、その逆にしてもよい。また、上縁１２６と下縁１２７では、波形状の高さ（波の振幅に相当）が異なっており、上縁１２６は高さの低い波形状であり、下縁１２７は、波の高さが上縁１２６は高さよりも高い波形状となっている。尚、波形状の高さは、上縁１２６と下縁１２７で前記と逆にしてもよい。
【０１６６】
波形状の少ない方の縁における波の高さは低く、一方、波形状の多い方の縁における波の高さは高い方が好ましい。かかる態様とすることにより、それぞれの縁のカールがより生じにくく、また、上縁１２６と下縁１２７のデザインがこのように異なっていても、バック布の上縁と下縁にかかる応力のバランスをとりやすくなる可能性がある。
【０１６７】
また、バック布１２５の上緑１２６は、個々の波形状による凹凸を無視した場合に、全体的に下方に突出したゆるやかな曲線であり、そのゆるやかな曲線部に、個々の波の曲線部がある形状であり、バック布１２５の下緑１２７は、個々の波形状による凹凸を無視した場合に、全体的に上方に突出したゆるやかな曲線であり、そのゆるやかな曲線部に、個々の波の曲線部がある形状となっている。
【０１６８】
従って、バック布１２５の下側の縁１２７の縁ラインの方向は全体として曲線状であるので、強いてバック布の下縁１２７の方向を、バック布の下縁１２７の乳房カップ側に近い方の端と連結部１３２側に近い方の端を結ぶ直線と同じ方向、すなわち矢印１３５で示された方向と仮定すると、編み方向１３６と平行な直線に対して−８５度の角度（裁断角度）がつけられている。上側の縁１２６の縁ラインの方向も、バック布の上縁１２６の乳房カップ側に近い方の端と連結部１３２側に近い方の端を結ぶ直線と同じ方向、すなわち矢印１３４で示された方向と仮定すると、編み方向１３６と平行な直線に対して＋７５度の角度がつけらている。すなわち、バック布の上下の裁断されたままの状態で縁始末不要な縁を構成するラインは、相互に非平行とされ且つ互いに異なる形状にされている。尚、縁ラインが波形状となっているため、現実には下側の縁１２７の縁ラインの波形状箇所は、−８５度を前後する角度で、上側の縁１２６の縁ラインの波形状箇所は、＋７５度を前後する角度で、裁断されている。波形状に裁断されていることで、当該縁部のほつれもより生じにくく、また、カールも生じにくい。なお、上記の実施態様例では、バック布の下側の縁１２７の縁ラインの波形状箇所は、−８５度を前後する角度で、上側の縁１２６の縁ラインの波形状箇所は、＋７５度を前後する角度で、裁断されているが、編み方向１３６と平行な直線に対し、ほぼ平行に近い角度、例えば０度より大きく±６度などの範囲の方向で裁断されていることも好ましい。前中心布１２９は、その下側の縁のラインが編み方向に対し、ほぼ＋７５度の角度で裁断されている。
【０１６９】
１４３は、ストラップ取り付け箇所であり、先端にストラップ１３１が取付けられる。ストラップ取り付け箇所１４３は、図示していないが、図２１の符号１１３で示した部分と同様に、バック布１２５と連続しており、バック布と一体に裁断されている。縁部は、フリーカット縁部である。尚、バック布１２５は一番広い箇所で幅９ｃｍ、細い箇所で幅４ｃｍとした。
【０１７０】
従来のブラジャーのバック布においては、バック布１２５の上下の縁に沿ってゴムテープが設けられていたが、本実施例のブラジャーのバック布１２５の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。従って、従って、フリーカット縁であるにもかかわらず、引裂き強度大きく、裁断したままでもほつれが生じず、かつ縁部がカーリングすることなく、バック布が身体にフィットして、運動時に生じるずれも最小限に防止し、着崩れも防止される。またバック布の縁部がめくれてしまうことも有効に防止できる。
【０１７１】
バック布としては、前記部片の布１枚（単層）でも、バック布を形成することは可能であるが、本実施の形態例では、バック布は前記編地が２枚積層されているので、引裂き強度が一層大きく、バック布の上縁と下縁が縁部始末不要な縁であり、かつ上下方向に連続した布から形成されており、上縁から下縁に至るまで表面がフラットで段差がなく、着用時に部分的な圧迫を生じることがない。バック布部片として用いた編地は、裁断縁部がほつれの生じない布であり、かつ波形状に裁断しているため、縁部ほつれの生じることなく、上下縁部の裁ち端が綺麗で、糸が突出することがない。
【０１７２】
尚、実施例７のバック布１２５の素材を、図６で示したような非弾性糸、弾性糸がともに同行するプレーンコード組織であり、織非弾性糸と前記弾性糸の両方が閉じ目である伸縮性経編地を用いてもほぼ同様のバック布を有するブラジャーが得られた。
【０１７３】
以上、各実施例において表示した幅などの数値は、ショーツ、ガードルなどのボトム衣料の場合、Ｍサイズないし６４サイズを基準に表示した数値である。また、ブラジャーの実施例においては、Ｂ７０サイズを基準に表示した数値である。
【０１７４】
従って、サイズが異なってくると、それに応じてこれらの数値も変化することになる。
【産業上の利用可能性】
【０１７５】
本発明の衣料は、裁断されたままの状態で縁始末不要な縁部を有する部片の引裂き強度を向上し、且つ、当該縁部のカーリングが防止された衣料を提供できる。本発明の衣料は、裁断したままで縁始末不要な部片を少なくとも一部に用いて形成されるため、縁の部分が厚くならず、裾あるいはウェストラインが外衣に反映して段差となって現れることなどのない縁始末不要な縁を有する衣料とすることができ、かつ衣料の上下のいずれか又は両縁部を縁始末不要な縁とでき、衣料設計の自由度が向上し、かつ衣料の前記縁部を有する部片の引裂き強度を向上し、前記縁部近傍がカーリングすることなく、身体にフィットし、伸縮性を有し、着用感の良い衣料を提供出来る。従って、身体にフィットさせて着用する衣料、例えば、ガードル、ショーツなどのボトム衣料や、ボディースーツ、ワンピース型水着、セパレートタイプの水着のボトム、などの衣料、あるいは、バック布に本発明を適用したブラジャー、もしくは水着あるいはレオタードのトップスなどに有用である。
【図面の簡単な説明】
【０１７６】
【図１】本発明の部片（Ｐ）に用いる伸縮性の経編地の一例の編組織図。
【図２】本発明の部片（Ｐ）に用いる伸縮性の経編地の別の一例の編組織図。
【図３】本発明の部片（Ｐ）に用いる伸縮性の経編地の更に別の一例の編組織図。
【図４】本発明の部片（Ｐ）に用いる伸縮性の経編地の更に別の一例の編組織図。
【図５】本発明の部片（Ｐ）に用いる伸縮性の経編地の更に別の一例の編組織図。
【図６】本発明の部片（Ｐ）に用いる伸縮性の経編地の更に別の一例の編組織図。
【図７】本発明の部片（Ｐ）に用いる伸縮性の経編地の更に別の一例の編組織図。
【図８】本発明の部片（Ｐ）に用いる伸縮性の経編地の更に別の一例の編組織図。
【図９】本発明の部片（Ｐ）に用いる伸縮性の経編地の更に別の一例の編組織図。
【図１０】本発明の部片（Ｐ）に用いる伸縮性の経編地の更に別の一例の編組織図。
【図１１】図１で示した編組織の非弾性糸１と弾性糸２の編組織を重ね合わせて描いた編組織図。
【図１２】図６で示した編組織の非弾性糸１と弾性糸２の編組織を重ね合わせて描いた編組織図。
【図１３】本発明の裁断されたままの状態で縁始末不要な縁を有する衣料の一実施の形態例のショーツの正面図。
【図１４】図１３に示したショーツの背面図。
【図１５】図１３、図１４に示したショーツを形成するための部片（Ｐ）１８の裁断ラインを編地上に示した平面図。
【図１６】本発明の裁断されたままの状態で縁始末不要な縁を有する衣料の一実施の形態例のセミロングタイプのガードルの背面側から見た斜視図。
【図１７】図１６に示したセミロングタイプのガードルの正面側から見た斜視図。
【図１８】図１６、図１７に示したセミロングタイプのガードルの着用者の左側に相当する前脇−脇−ヒップ部−脚部充当部片２１の裁断ラインを編地上に示した平面図及びクロッチ部片の平面図。
【図１９】本発明の裁断されたままの状態で縁始末不要な縁を有する衣料の一実施の形態例のショートタイプのガードルの背面側から見た斜視図。
【図２０】図１９に示したショートタイプのガードルの正面側から見た斜視図。
【図２１】図１９、図２０に示したショートタイプのガードルの着用者の左側に相当する前脇−脇−ヒップ部充当部片３５の裁断ラインを編地上に示した平面図。
【図２２】本発明の裁断されたままの状態で縁始末不要な縁を有する衣料の一実施の形態例のショーツの背面図。
【図２３】図２２に示したショーツの正面図。
【図２４】図２２、図２３に示したショーツの着用者の左側に相当する前脇腹−脇−ヒップ部充当部片５５の裁断ラインを編地上に示した平面図。
【図２５】本発明の裁断されたままの状態で縁始末不要な縁を有する衣料の一実施の形態例のブラジャーの正面側から見た主要部分の斜視図。
【図２６】本発明の裁断されたままの状態で縁始末不要な縁を有する衣料の一実施の形態例のブラジャーの主要部分の斜視図。
【図２７】図２６に示したブラジャーの着用者の左側に相当するバック布部片９５の裁断ラインを編地上に示した平面図。
【図２８】本発明の裁断されたままの状態で縁始末不要な縁を有する衣料の一実施の形態例のブラジャーの主要部分の斜視図。
【図２９】引裂き強度の測定法を説明するための試験片の説明図
【図３０】引裂き強度測定器で記録される測定試験片の荷重（ｃＮ）と伸度（％）との関係を示すグラフ。
【図３１】従来の非弾性糸をプレーンコード組織とし弾性糸が前記非弾性糸と逆行するデンビ組織からなる経編伸縮性生地の組織図。
【符号の説明】
【０１７７】
１   非弾性糸
２   弾性糸
３   非弾性糸１のシンカーループ
４   弾性糸２のシンカーループ
１１  前側のウェストライン
１２  後側のウェストライン
１３  前部充当部
１４  クロッチ部充当部
１５  後部充当部
１６  前裾ライン
１７  後裾ライン
１８  ショーツ本体を形成するための部片（Ｐ）
１９  内側クロッチ部片
２０  編方向を示す矢印
２１  前脇−脇−ヒップ部−脚部充当部片
２２  裾ラインの縁
２３  ウェストラインの縁
２４  後中心の縫合ライン
２５ 縫合ライン
２６ 腹部充当部片
２７ 腹部充当部片の上縁
２８ 脚部と臀部の境界を示すための仮想点線
２９  編地
３０   クロッチ部片
３２  裾ラインの方向
３４  編地の編み方向と平行な直線
３５  前脇−脇−ヒップ部充当部片
３６  腹部充当部片
３７  前中心側裾部片
３８  後中心の縫合ライン
３９  縫合ライン
４０  編地
４１  クロッチ部
４２  裾ライン
４３  ウェストライン
４４  腹部充当部片１６の上側の縁
４５  裾ライン
５２  矢印（後裾ライン６２の方向）
５４  編み方向５７の方向と平行な直線
５５  前脇腹−脇―ヒップ部充当部片
５６  腹部−クロッチ部充当部片
５７  編方向を示す矢印
５８  後中心の縫合ライン
５９  縫合ライン
６０ａ、６０ｂ  腹部−クロッチ部充当部片５６のクロッチ部に相当する部分の左右の脇側の縁
６１  クロッチ後部
６２  後裾ライン
６３  ウェストライン
６４  前裾ライン
６５  腹部−クロッチ部充当部片５６の上側の縁
７６  バック布
７７  バック布の上側の縁
７８  バック布の下側の縁
７９  カップ部
８０  ストラップ
８１  連結部
８２  下側の縁７８の縁ラインの方向
８３  上側の縁７７の縁ラインの方向
８４  前中心布
８５  前中心布８４の下縁
９５  バック布部片
９６  バック布の上側の縁（上縁）
９７  バック布の下側の縁（下縁）
９８  土台部
９９  前中心部
１００  乳房カップ
１０１  ストラップ
１０２  連結部
１０３  左右の前中心部の縫合箇所
１０４  バック布９５の上側の縁９６の縁ラインの方向を示す矢印
１０５ａ、１０５ｂ  バック布９５の下側の縁９７の縁ラインの方向を示す矢印
１０６  編み方向を示す矢印
１１３  ストラップ取り付け箇所
１２５  伸縮性のバック布部片
１２６  バック布の上側の縁
１２７  バック布の下側の縁
１２９  前中心布
１３０  乳房カップ
１３１  ストラップ
１３２  連結部
１３４  バック布の上側の縁１２６の縁ラインの方向
１３５  バック布の下側の縁１２７の縁ラインの方向
１３６  経編地の編み方向を示す矢印
２００  試験片
２０１  編方向を示す矢印
２０１ａ  編始め側
２０１ｂ  編終り側
２０２ａ  下つかみ部分
２０２ｂ  上つかみ部分
２０３ａ  Ｅ−Ｂ−Ｌ−Ｆ部分
２０３ｂ  Ｆ−Ｌ−Ｃ−Ｇ部分
【図１】
2005320642.tif 000003
【図２】
2005320642.tif 000004
【図３】
2005320642.tif 000005
【図４】
2005320642.tif 000006
【図５】
2005320642.tif 000007
【図６】
2005320642.tif 000008
【図７】
2005320642.tif 000009
【図８】
2005320642.tif 000010
【図９】
2005320642.tif 000011
【図１０】
2005320642.tif 000012
【図１１】
2005320642.tif 000013
【図１２】
2005320642.tif 000014
【図１３】
2005320642.tif 000015
【図１４】
2005320642.tif 000016
【図１５】
2005320642.tif 000017
【図１６】
2005320642.tif 000018
【図１７】
2005320642.tif 000019
【図１８】
2005320642.tif 000020
【図１９】
2005320642.tif 000021
【図２０】
2005320642.tif 000022
【図２１】
2005320642.tif 000023
【図２２】
2005320642.tif 000024
【図２３】
2005320642.tif 000025
【図２４】
2005320642.tif 000026
【図２５】
2005320642.tif 000027
【図２６】
2005320642.tif 000028
【図２７】
2005320642.tif 000029
【図２８】
2005320642.tif 000030
【図２９】
2005320642.tif 000031
【図３０】
2005320642.tif 000032
【図３１】
2005320642.tif 000033